(57)【要約】      （修正有）【課題】簡易な構成で操作性及び携帯性を容易に向上させる。【解決手段】筐体２の筐体主面２Ａの筐体一端側へ偏った位置に表示部３を配置し、表示部配置位置よりも筐体他端側の位置に操作キー４を配置し、筐体２に対し、筐体他端との間に孔部を有し、かつ筐体他端の筐体背面寄りの位置から突出するように、筐体２と共に筐体背面側から把持され当該筐体２の把持を補助する把持補助機能と、孔部に挿通される松葉紐を保持する紐保持機能とを有するフレーム部２Ｅを設けることにより、筐体２に１つのフレーム部２Ｅを設けるだけで、筐体２をフレーム部２Ｅと共に筐体背面側から安定して把持させて本装置を操作させ、フレーム部２Ｅに松葉紐を保持したストラップにより本装置を手や首から吊り下げて携帯させることができ、簡易な構成で操作性及び携帯性を容易に向上させ得る。【選択図】        図３５
2007281258.tif 000002
【特許請求の範囲】
【請求項１】
筐体と、
筐体主面の筐体一端側へ偏った位置に配置された表示部と、
上記筐体主面の表示部配置位置よりも筐体他端側の位置に配置された操作キーと、
上記筐体に対し上記筐体他端の筐体背面寄りの位置から突出するように設けられると共に上記筐体他端との間に孔部を有し、ユーザにより本装置の操作のために上記筐体が上記筐体背面側から把持される際に上記筐体と共に把持され当該筐体の把持を補助する把持補助機能と、上記孔部に挿通されるストラップの装置取付紐を保持する紐保持機能とを有するフレーム部と
を具えることを特徴とする携帯装置。
【請求項２】
上記フレーム部は、
上記紐保持機能として、表面に上記装置取付紐を保持する溝が形成された
ことを特徴とする請求項１に記載の携帯装置。
【請求項３】
上記フレーム部は、
上記筐体一端から上記筐体他端への方向に沿って上記筐体主面の中央部を通る仮想直線を挟んで対称な形状に形成され、
上記溝は、
上記フレーム部の上記表面として、上記孔部の開口部表面の上記仮想直線に対応する位置である中央に形成された
ことを特徴とする請求項２に記載の携帯装置。
【請求項４】
上記フレーム部は、
上記筐体他端側の一端及び他端と、より上記筐体他端から離間した中央部とから構成され、上記一端及び他端から上記中央部にかけて徐々に肉薄となるように形成されることにより、上記筐体背面からフレーム背面の形状が連続的な曲面で構成された
ことを特徴とする請求項１に記載の携帯装置。
【請求項５】
上記表示部の表示を制御する制御部
を具え、
上記表示部は、
上記本装置を操作するための複数の項目を上記筐体一端から上記筐体他端への方向に沿った特定方向に並べてリスト表示し、
上記制御部は、
上記操作キーに対する操作に応じて、上記複数の項目の中から一の当該項目を選択させるための指示子を上記特定方向に移動させるように上記表示部の表示を制御する
ことを特徴とする請求項１に記載の携帯装置。
【請求項６】
上記制御部は、
上記操作キーに対する操作に応じて、上記リスト表示された上記複数の項目を上記特定方向に沿ってスクロールさせるように上記表示部の表示を制御する
ことを特徴とする請求項５に記載の携帯装置。
【発明の詳細な説明】
【技術分野】
【０００１】
本発明は携帯装置に関し、例えば楽曲や画像を再生可能な携帯端末装置に適用して好適なものである。
【背景技術】
【０００２】
従来の電子機器は、キャビネットの一端に円弧板状の把持部が突出して設けられていた。これにより電子機器は、把持部の円弧板状部分を把持させて持ち運びできるようにしていた（例えば、特許文献１参照）。
【特許文献１】特開平１０−６９８９７号公報（第２頁、図１）
【発明の開示】
【発明が解決しようとする課題】
【０００３】
ところで近年、この種の電子機器については、これを小型化すると、例えば片手でキャビネットを把持したまま操作し得るようになり、また持ち運び易くもなるため、操作性と携帯性との両方が向上すると考えられている。ところが従来の電子機器は、単にキャビネットを小型化すると、操作キーの配置位置によっては、当該キャビネットを安定して把持させたまま電子機器を操作させ難い場合がある。また電子機器は、キャビネットを小型化することができても、把持部まで小型化すると、当該把持部を持ち運び用に把持し難くなる。このため従来の電子機器は、小型化しても操作性及び携帯性の両方を容易には向上させ難いという問題があった。
【０００４】
本発明は以上の点を考慮してなされたもので、簡易な構成で操作性及び携帯性を容易に向上させ得る携帯装置を提案しようとするものである。
【課題を解決するための手段】
【０００５】
かかる課題を解決するため本発明においては、携帯装置において、筐体の筐体主面における筐体一端側へ偏った位置に表示部を配置すると共に、当該筐体主面の表示部配置位置よりも筐体他端側の位置に操作キーを配置し、筐体に対し、筐体他端との間に孔部を有し、当該筐体他端の筐体背面寄りの位置から突出するように、ユーザにより本装置の操作のために筐体が筐体背面側から把持される際に筐体と共に把持され当該筐体の把持を補助する把持補助機能と、孔部に挿通されるストラップの装置取付紐を保持する紐保持機能とを有するフレーム部を設けるようにした。
【０００６】
従って本発明では、携帯装置において筐体に１つのフレーム部を設けるだけで、筐体をフレーム部と共に筐体背面側から安定して把持させたまま本装置を操作させることができると共に、フレーム部に取り付けられたストラップにより本装置を手や首から吊り下げて携帯させることができる。
【発明の効果】
【０００７】
本発明によれば、筐体の筐体主面における筐体一端側へ偏った位置に表示部を配置すると共に、当該筐体主面の表示部配置位置よりも筐体他端側の位置に操作キーを配置し、筐体に対し、筐体他端との間に孔部を有し、当該筐体他端の筐体背面寄りの位置から突出するように、ユーザにより本装置の操作のために筐体が筐体背面側から把持される際に筐体と共に把持され当該筐体の把持を補助する把持補助機能と、孔部に挿通されるストラップの装置取付紐を保持する紐保持機能とを有するフレーム部を設けるようにしたことにより、筐体に１つのフレーム部を設けるだけで、筐体をフレーム部と共に筐体背面側から安定して把持させたまま本装置を操作させることができると共に、フレーム部に装置取付紐を保持したストラップにより本装置を手や首から吊り下げて携帯させることができ、かくして簡易な構成で操作性及び携帯性を容易に向上させ得る携帯装置を実現することができる。
【発明を実施するための最良の形態】
【０００８】
以下図面について、本発明の一実施の形態を詳述する。
【０００９】
図１（Ａ）及び（Ｂ）において、１は全体として本発明を適用した携帯端末装置を示し、略偏平矩形状の筐体２を有している。この筐体２において操作時の主要部分となる正面（以下、これを筐体主面と呼ぶ）２Ａには、筐体２の一端（以下、これを筐体一端と呼ぶ）側へ偏った位置に、矩形状の液晶パネル又は有機ＥＬ（Electro Luminescence）パネル等でなる表示部３が配置されている。また筐体主面２Ａには、表示部配置位置よりも筐体２の他端（以下、これを筐体他端と呼ぶ）側の位置に操作キー配置領域が設けられている。因みに以下の説明では、筐体２の筐体一端側を上と呼ぶと共に、筐体他端側を下と呼び、筐体主面２Ａをユーザが正面に見たときの筐体２の一方の側面側及び他方の側面側を右及び左と呼ぶ。
【００１０】
この場合、筐体主面２Ａの操作キー配置領域には、当該筐体２の筐体一端から筐体他端への特定方向（以下、これを筐体長手方向と呼ぶ）と直交し、かつ筐体主面２Ａとほぼ平行な方向（以下、これを筐体幅方向と呼ぶ）に沿った中心部に、筐体主面２Ａに対しほぼ垂直に押下する押下操作と、筐体一端側及び筐体他端側へそれぞれ傾斜させる傾斜操作との３方向への操作が可能な操作キー（以下、これを３方向操作キーと呼ぶ）４が配置されている。また筐体主面２Ａの操作キー配置領域には、３方向操作キー４を挟み込み、筐体幅方向に沿って１列に並ぶように２種類の操作キー（以下、これらを右側操作キー及び左側操作キーと呼ぶ）５及び６が配置されている。さらに筐体主面２Ａの操作キー配置領域には、右側操作キー５よりも右側に、表示部３に対しメニュー画面を表示させるための操作キー（以下、これをメニュー表示キーと呼ぶ）７が配置されている。さらに筐体主面２Ａの操作キー配置領域には、右側操作キー５よりも左側に、追加機能を選択させるため操作キー（以下、これをオプションキーと呼ぶ）８も配置されている。
【００１１】
これに加えて筐体２の一方の側面（以下、これを筐体右側面と呼ぶ）２Ｂには、音量調節用の操作キー（以下、これを音量調節キーと呼ぶ）９と、表示部３に表示する表示画面を切り替えるための操作キー（以下、これを表示切替キーと呼ぶ）１０と、楽曲等に対する繰返再生や無作為選択再生等の再生条件を選択させるための操作キー（以下、これを再生条件選択キーと呼ぶ）１１とが、筐体長手方向に沿って１列に配置されている。また筐体２の背面（以下、これを筐体背面と呼ぶ）２Ｃには、スライド操作可能で、操作キーの操作を受け付けないようにするための操作キー（以下、これをホールドキーと呼ぶ）１２が配置されている。さらに筐体２の筐体一端には、外部端子１３が設けられると共に、マイクロホン１４も設けられている。因みに、外部端子１３には、楽曲や画像を提供するパーソナルコンピュータ等の外部提供機器と通信するためのケーブルに設けられたケーブル端子を接続し得るようになされている。さらにまた筐体２の他方の側面（以下、これを筐体左側面と呼ぶ）２Ｄの筐体一端側には、ヘッドホンプラグや、楽曲再生装置等の外部再生機器と通信するためのケーブルに設けられたケーブルプラグの何れも差込可能なジャック１５が設けられている。因みに筐体背面２Ｃには、ホールドキー１２よりも筐体他端側に、携帯端末装置１の各種設定を初期状態に戻すための操作キー（以下、これをリセットキーと呼ぶ）が埋設され、かかる筐体背面２Ｃに穿設された微小な孔部１７を介して押下操作させ得るようになされている。
【００１２】
そして図２に示すように、携帯端末装置１において主制御部２０は、上述した各種操作キーを含む操作部２１からユーザによる各種操作キーの操作に応じて各種命令が与えられると、その各種命令に基づき各種処理を実行すると共に、当該主制御部２０に接続された各種回路の処理を制御する。また主制御部２０は、何れかの回路から処理状況に応じて処理結果が通知されると、その処理結果に基づいて他の回路の処理を制御する。これにより主制御部２０は、携帯端末装置１において楽曲再生機能、画像再生機能、ラジオ放送聴取機能、ラジオ放送や、外部再生機器から再生しながら転送された楽曲（以下、これを転送楽曲と呼ぶ）、またマイクロホン１４を介して集音された音声（以下、これを集音音声と呼ぶ）の録音機能等の各種機能を実現させ得るようになされている。これに加えて主制御部２０は、外部端子１３を介して外部提供機器（図示せず）と通信接続すると、当該外部提供機器の従属として機能する。そして主制御部２０は、かかる外部提供機器の制御のもと、例えば記憶処理部２２の処理を制御する。これにより主制御部２０は、外部提供機器から提供される楽曲（以下、これを提供楽曲と呼ぶ）の楽曲データ（以下、これを特に提供楽曲データと呼ぶ）や、写真等の画像（以下、これを提供画像と呼ぶ）の画像データ（以下、これを提供画像データと呼ぶ）を記憶するデータ記憶機能も実現し得るようになされている。
【００１３】
実際上、外部提供機器は、提供楽曲の提供楽曲データをデータファイルとして保持していると共に、その提供楽曲データに対し、提供楽曲のタイトル（以下、これを提供楽曲タイトルと呼ぶ）や、その提供楽曲の収録されたアルバムのタイトル（以下、これをアルバムタイトルと呼ぶ）、提供楽曲を奏でるアーティストの名前（以下、これをアーティスト名と呼ぶ）、提供楽曲の属するジャンルの名称（以下、これをジャンル名と呼ぶ）、提供楽曲データのデータサイズ、提供楽曲データのデータフォーマット、提供楽曲データのファイル名（例えば、提供楽曲タイトルを用いて生成したものである）等を示す提供楽曲関連情報を対応付けて保持している。また外部提供機器は、提供楽曲データに対し、例えば提供楽曲の歌詞の歌詞データを対応付けて保持している。さらに外部提供機器は、提供画像の提供画像データもデータファイルとして保持していると共に、その提供画像データに対し、提供画像のタイトル（以下、これを提供画像タイトルと呼ぶ）や、提供画像データのデータサイズ、提供画像データのデータフォーマット、提供画像データのファイル名（例えば、提供画像タイトルを用いて生成したものである）等を示す提供画像関連情報を対応付けて保持している。
【００１４】
そして主制御部２０は、外部提供機器から提供楽曲データがこれに対応する提供楽曲関連情報や歌詞データと共に送信されると、これらを外部端子１３を介して取り込む。そして主制御部２０は、提供楽曲関連情報に対し、例えばこれを取り込んだ時点の日時を携帯端末装置１への記憶日時として示す記憶日時情報を加え、提供楽曲データと共にその提供楽曲関連情報や歌詞データを記憶処理部２２に送出する。また主制御部２０は、外部提供機器から提供画像データがこれに対応する提供画像関連情報と共に送信されると、この際もこれらを外部端子１３を介して取り込む。そして主制御部２０は、提供画像関連情報に対しても、記憶日時情報を加え、提供画像データと共にその提供画像関連情報を記憶処理部２２に送出する。
【００１５】
ここで携帯端末装置１には記憶部２３が内蔵されている。記憶部２３には、複数の提供楽曲データをまとめて管理するためのフォルダ（以下、これを提供楽曲フォルダと呼ぶ）が構築されている。また記憶部２３には、複数の提供画像データをまとめて管理するためのフォルダ（以下、これを提供画像フォルダと呼ぶ）も構築されている。さらに記憶部２３には、ラジオ放送の録音用として得られる複数の録音ラジオデータをまとめて管理するためのフォルダ（以下、これを録音ラジオフォルダと呼ぶ）も構築されている。さらに記憶部２３には、転送楽曲の録音用として得られる複数の楽曲データ（以下、これを録音楽曲データと呼ぶ）をまとめて管理するためのフォルダ（以下、これを録音楽曲ファイルと呼ぶ）も構築されている。さらにまた記憶部２３には、集音音声の録音用として得られる複数の音声データ（以下、これを録音音声データと呼ぶ）をまとめて管理するためのフォルダ（以下、これを録音音声フォルダと呼ぶ）も構築されている。
【００１６】
そして記憶処理部２２は、主制御部２０から提供楽曲データがこれに対応する提供楽曲関連情報や歌詞データと共に与えられると、外部提供機器の指示に応じた主制御部２０の制御のもと、記憶部２３に対し、当該提供楽曲データを提供楽曲関連情報や歌詞データと共に提供楽曲フォルダに関連付けて、又は提供楽曲フォルダには関連付けずに記憶する。また記憶処理部２２は、主制御部２０から提供画像データがこれに対応する提供画像関連情報と共に与えられると、外部提供機器の指示に応じた主制御部２０の制御のもと、記憶部２３に対し、当該提供画像データを提供画像関連情報と共に提供画像フォルダに関連付けて、又は提供画像フォルダには関連付けずに記憶する。
【００１７】
チューナ部２４は、例えば受信可能な１又は複数のラジオ放送の放送周波数を検索し、当該検索した放送周波数をその後のラジオ放送の受信に利用し得るように初期設定する。この状態でチューナ部２４は、初期設定した１又は複数の放送周波数の中からユーザにより所望の放送周波数が選択され、当該選択された放送周波数が主制御部２０から通知されると、筐体２に内蔵されたアンテナ素子（図示せず）を介して受信した複数のラジオ放送波の中からユーザにより選択された放送周波数のラジオ放送波を抽出する。そしてチューナ部２４は、かかるラジオ放送波に対し所定の受信処理を施し、この結果得られるラジオ放送データを例えばデジタルアナログ変換処理し、得られたラジオ放送信号をジャック１５からヘッドホン（図示せず）に送出する。これによりチューナ部２４は、ヘッドホンからラジオ放送信号に基づくラジオ放送の音声を出力させ、かくしてユーザに対し所望のラジオ放送を聴取させることができる。
【００１８】
またチューナ部２４は、ラジオ放送の聴取中にユーザにより当該ラジオ放送の録音開始が指示され、主制御部２０からラジオ放送の録音開始命令が与えられると、その時点に生成していたラジオ放送データをそのままラジオ放送の録音用として録音処理部２５にも送出する。そしてチューナ部２４は、ユーザによりラジオ放送の録音停止が指示され、主制御部２０からラジオ放送の録音停止命令が与えられると、録音処理部２５に対するラジオ放送データの送出を停止する。このようにしてチューナ部２４は、ラジオ放送の録音が指示されている間、録音対象のラジオ放送のラジオ放送データを録音処理部２５に送出し得るようになされている。
【００１９】
そして録音処理部２５は、チューナ部２４からラジオ放送データが与えられると、そのラジオ放送データを所定フォーマットで圧縮符号化し、その結果得られた録音ラジオデータを記憶部２３に送出する。これにより録音処理部２５は、記憶部２３に対し録音ラジオデータをデータファイルとして録音ラジオフォルダに関連付けて記憶する。ところで録音処理部２５は、録音ラジオデータの生成を停止したとき（すなわち、ラジオ放送の録音停止が指示されたとき）、その録音ラジオデータに関連する当該録音ラジオデータのデータサイズ、録音ラジオデータのデータフォーマット、録音ラジオデータのファイル名（例えば、任意に決定したものである）、ラジオ放送の録音日時（例えば、録音ラジオデータの生成を停止した時点の日時）等を示す録音ラジオ関連情報を生成する。そして録音処理部２５は、その録音ラジオ関連情報も記憶部２３に送出する。これにより録音処理部２５は、記憶部２３に対し録音ラジオ関連情報を録音ラジオデータに対応付けて記憶する。このようにして録音処理部２５は、ラジオ放送の録音が指示されている間、記憶部２３に録音ラジオデータを記憶するようにしてラジオ放送を録音し得るようになされている。
【００２０】
また録音処理部２５は、外部再生機器で再生されながら転送された転送楽曲の録音開始が指示され、主制御部２０から転送楽曲の録音開始命令が与えられると、外部再生機器から再生されながら転送された転送楽曲データを、ジャック１５を介して取り込む。この際、録音処理部２５は、転送楽曲データを所定フォーマットで圧縮符号化し、その結果得られた録音楽曲データを記憶部２３に送出する。これにより録音処理部２５は、記憶部２３に対し録音楽曲データをデータファイルとして録音楽曲フォルダに関連付けて記憶する。この状態で録音処理部２５は、ユーザにより転送楽曲の録音停止が指示され、主制御部２０から転送楽曲の録音停止命令が与えられると、外部再生機器から転送される転送楽曲データの取り込みを停止すると共に、録音楽曲データの生成も停止し、その結果、録音楽曲データの記憶を停止する。そして録音処理部２５は、録音楽曲データの生成を停止したとき（すなわち、転送楽曲の録音停止が指示されたとき）、その録音楽曲データに関連する当該録音楽曲データのデータサイズ、録音楽曲データのデータフォーマット、録音楽曲データのファイル名（例えば、任意に決定したものである）、転送楽曲の録音日時（例えば、録音楽曲データの生成を停止した時点の日時）等を示す録音楽曲関連情報を生成する。そして録音処理部２５は、その録音楽曲関連情報も記憶部２３に送出する。これにより録音処理部２５は、記憶部２３に対し録音楽曲関連情報を録音楽曲データに対応付けて記憶する。このようにして録音処理部２５は、外部再生機器で再生される転送楽曲の録音が指示されている間、記憶部２３に録音楽曲データを記憶するようにして当該転送楽曲を録音し得るようになされている。
【００２１】
さらに録音処理部２５は、集音音声の録音開始が指示され、主制御部２０から集音音声の録音開始命令が与えられると、マイクロホン１４を介して周囲の音声を集音することにより得られる集音音声の音声信号を取り込む。この際、録音処理部２５は、かかる音声信号をアナログデジタル変換処理した後、所定フォーマットで圧縮符号化することにより録音音声データを生成すると共に、その録音音声データを記憶部２３に送出する。これにより録音処理部２５は、記憶部２３に対し録音音声データをデータファイルとして録音音声フォルダに関連付けて記憶する。この状態で録音処理部２５は、ユーザにより集音音声の録音停止が指示され、主制御部２０から集音音声の録音停止命令が与えられると、マイクロホン１４による集音音声の集音を停止させると共に、録音音声データの生成も停止し、その結果、録音音声データの記憶を停止する。そして録音処理部２５は、録音音声データの生成を停止したとき（すなわち、集音音声の録音停止が指示されたとき）、録音音声データに関連する当該録音音声データのデータサイズ、録音音声データのデータフォーマット、録音音声データのファイル名（例えば、任意に決定したものである）、集音音声の録音日時（例えば、録音音声データの生成を停止した時点の日時）等を示す録音音声関連情報を生成する。そして録音処理部２５は、その録音音声関連情報を記憶部２３に送出する。これにより録音処理部２５は、記憶部２３に対し録音音声関連情報を録音音声データに対応付けて記憶する。このようにして録音処理部２５は、集音音声の録音が指示されている間、記憶部２３に録音音声データを記憶するようにして当該集音音声を録音し得るようになされている。因みに録音処理部２５は、ラジオ放送データや転送楽曲データ、音声号を録音処理するとき、ラジオ放送や転送楽曲、集音音声の録音経過時間を主制御部２０経由で表示制御部２７に通知している。
【００２２】
楽曲データ検索部２６は、主制御部２０から提供楽曲データのファイル名を検索するように要求されると、記憶部２３に記憶されている提供楽曲データや提供画像データ等の種々のデータのうち、全ての提供楽曲データのファイル名を検索する。そして楽曲データ検索部２６は、その検索した全ての提供楽曲データのファイル名のうち、提供楽曲フォルダに関連付けられた提供楽曲データのものと、当該提供楽曲フォルダに関連付けられてはいない提供楽曲データのものとを区別する。また楽曲データ検索部２６は、提供楽曲フォルダに対し任意に設定されたフォルダ名と、当該提供楽曲フォルダに関連付けられていない提供楽曲データのファイル名とをリスト化すると共に、その提供楽曲フォルダに関連付けられている提供楽曲データのファイル名もリスト化して、これらリストを示す提供楽曲データリストを生成する。これにより楽曲データ検索部２６は、かかる提供楽曲データリストを主制御部２０経由で表示制御部２７に送出する。
【００２３】
また楽曲データ検索部２６は、表示制御部２７に送出した提供楽曲データリストをもとに、ユーザにより提供楽曲データのファイル名が選択され、提供画像関連情報が要求されたことで、主制御部２０からその選択されたファイル名が与えられると共に、当該ファイル名の提供楽曲データに対応する提供楽曲関連情報が要求されると、記憶部２３に記憶されている複数の提供楽曲関連情報のうち、当該選択されたファイル名の提供楽曲データに対応する提供楽曲関連情報を検索する。そして楽曲データ検索部２６は、記憶部２３から検索した提供楽曲関連情報を読み出して主制御部２０経由で表示制御部２７に送出する。さらに楽曲データ検索部２６は、記憶部２３に記憶されている複数の歌詞データのうち、当該選択されたファイル名の提供楽曲データに対応する歌詞データが存在するときには、これも検索する。そして楽曲データ検索部２６は、記憶部２３から、検索した歌詞データも読み出して主制御部２０経由で表示制御部２７に送出する。
【００２４】
ここで例えば図３に示すように、歌詞データには、提供楽曲タイトルを示す表示文字と、アーティスト名を示す表示文字と、歌詞を示す文字が提供楽曲の先頭から所定フレーズ毎に順次区切られて得られる当該歌詞の一部の表示文字とが含まれている。そして歌詞データにおいて、これら表示文字には、それぞれ提供楽曲の再生の進行に合わせて表示文字の表示を順次切り替えるための再生経過時間を示す時間情報が付加されている。例えば歌詞データにおいて提供楽曲タイトルを示す表示文字やアーティスト名を示す表示文字には、提供楽曲の再生開始時間である再生経過時間やイントロ部分の再生途中の再生経過時間を示す時間情報が付加されている。また歌詞データにおいて所定フレーズ毎の表示文字には、当該フレーズの先頭か再生され始めるときの再生経過時間を示す時間情報が付加されている。従って楽曲データ検索部２６は、表示制御部２７に対し、かかる歌詞データにより提供楽曲の再生に合わせて表示させる表示文字と、その表示文字を表示させるタイミングとを通知し得るようになされている。これに加えて楽曲データ検索部２６は、表示制御部２７に送出した提供楽曲データリストをもとに、ユーザにより削除する提供楽曲データのファイル名が選択され、当該選択されたファイル名が主制御部２０から通知されると、記憶部２３に記憶されている複数の提供楽曲データのうち、その選択されたファイル名の提供楽曲データを削除する。
【００２５】
そして楽曲データ再生部２８は、表示制御部２７に送出された提供楽曲データリストをもとに、ユーザにより再生対象の提供楽曲データのファイル名が選択され、主制御部２０からその選択されたファイル名が与えられると共に、再生開始が指示されると、そのファイル名をもとに、楽曲データ検索部２６を介して記憶部２３から対応する提供楽曲データを読み出す。そして楽曲データ再生部２８は、かかる提供楽曲データに対し復号処理及びデジタルアナログ変換処理等の所定の再生処理を施すことにより、提供楽曲信号を生成し、当該生成した提供楽曲信号をジャック１５からヘッドホンに送出する。これにより楽曲データ再生部２８は、ヘッドホンから提供楽曲信号に基づく提供楽曲を出力させてユーザに聴取させることができる。因みに楽曲データ再生部２８は、提供楽曲データを再生処理するとき、提供楽曲の再生経過時間を主制御部２０経由で表示制御部２７に通知している。従って楽曲データ再生部２８は、表示制御部２７に対し再生経過時間に基づいて歌詞データに含まれる表示文字の表示を適宜切り替えさせるようになされている。
【００２６】
さらに画像データ検索部２９は、主制御部２０から提供画像データのファイル名を検索するように要求されると、記憶部２３に記憶されている提供楽曲データや提供画像データ等の種々のデータのうち、全ての提供画像データのファイル名を検索する。そして画像データ検索部２９は、その検索した全ての提供画像データのファイル名を、提供画像フォルダに関連付けられた提供画像データのものと、当該提供画像フォルダに関連付けられてはいない提供画像データのものとに区別する。また画像データ検索部２９は、提供画像フォルダに対し任意に設定されたフォルダ名と、当該提供画像フォルダに関連付けられてはいない提供画像データのファイル名とをリスト化すると共に、その提供画像フォルダに関連付けられている提供画像データのファイル名もリスト化して、これらリストを示す提供画像データリストを生成する。これにより画像データ検索部２９は、かかる提供画像データリストを主制御部２０経由で表示制御部２７に送出する。
【００２７】
また画像データ検索部２９は、表示制御部２７に送出した提供画像データリストをもとに、ユーザにより提供画像データのファイル名が選択され、提供画像関連情報が要求されたことで、主制御部２０からその選択されたファイル名が与えられると共に、当該ファイル名の提供画像データに対応する提供画像関連情報が要求されると、記憶部２３に記憶されている複数の提供画像関連情報のうち、当該選択されたファイル名の提供画像データに対応する提供画像関連情報を検索する。そして画像データ検索部２９は、記憶部２３から検索した提供画像関連情報を読み出して主制御部２０経由で表示制御部２７に送出する。これに加えて画像データ検索部２９は、表示制御部２７に送出した提供画像データリストをもとに、ユーザにより削除する提供画像データのファイル名が選択され、当該選択されたファイル名が主制御部２０から通知されると、記憶部２３に記憶されている複数の提供画像データのうち、その選択されたファイル名の提供画像データを削除する。
【００２８】
そして画像データ再生部３０は、表示制御部２７に送出された提供画像データリストをもとに、ユーザにより再生対象の提供画像データのファイル名が選択され、主制御部２０からその選択されたファイル名が与えられると共に、再生開始が指示されると、そのファイル名をもとに、画像データ検索部２９を介して記憶部２３から対応する提供画像データを読み出す。そして画像データ再生部３０は、かかる提供画像データに対し復号処理等の所定の再生処理を施して表示部３に送出する。これにより画像データ再生部３０は、表示部３に対し再生処理した提供画像データに基づく提供画像を表示させてユーザに見せることができる。
【００２９】
さらにまた録音データ検索部３１は、主制御部２０から記憶部２３に記憶されている全ての録音ラジオデータ、録音楽曲データ及び録音音声データ（以下、これらをまとめて録音データと呼ぶ）のファイル名を検索するように要求されると、当該記憶部２３に記憶している全ての録音データのファイル名を検索する。そして録音データ検索部３１は、録音ラジオフォルダ、録音楽曲フォルダ及び録音音声フォルダそれぞれに対し任意に設定されたフォルダ名をリスト化すると共に、その検索した全てのファイル名を、録音ラジオフォルダ、録音楽曲フォルダ及び録音音声フォルダに関連付けられた録音データのもの毎にリスト化して、これらリストを示す録音データリストを生成する。これにより録音データ検索部３１は、かかる録音データリストを主制御部２０経由で表示制御部２７に送出する。
【００３０】
また録音データ検索部３１は、表示制御部２７に送出した録音データリストをもとに、ユーザにより録音データのファイル名が選択され、その録音データに対応する録音ラジオ関連情報、録音楽曲関連情報及び録音音声関連情報（以下、これらをまとめて録音データ関連情報と呼ぶ）が要求されたことで、主制御部２０からその選択されたファイル名が与えられると共に、当該ファイル名の録音データに対応する録音データ関連情報が要求されると、記憶部２３に記憶されている複数の録音データ関連情報のうち、当該選択されたファイル名の録音データに対応する録音データ関連情報を検索する。そして録音データ検索部３１は、記憶部２３から検索した録音データ関連情報を読み出して主制御部２０経由で表示制御部２７に送出する。
【００３１】
そして録音データ再生部３２は、表示制御部２７に送出された録音データリストをもとに、ユーザにより再生対象の録音データのファイル名が選択され、主制御部２０からその選択されたファイル名が与えられると共に、再生開始が指示されると、そのファイル名をもとに、録音データ検索部３１を介して記憶部２３から対応する録音データを読み出す。そして録音データ再生部３２は、かかる録音データに対し復号処理及びデジタルアナログ変換処理等の所定の再生処理を施すことにより、録音信号を生成し、当該生成した録音信号をジャック１５からヘッドホンに送出する。これにより録音データ再生部３２は、ヘッドホンから録音信号に基づくラジオ放送や転送楽曲、集音音声を出力させてユーザに聴取させることができる。因みに録音データ再生部３２は、録音データを再生処理するとき、ラジオ放送や転送楽曲、集音音声の再生経過時間を主制御部２０経由で表示制御部２７に通知している。
【００３２】
さらに記憶データ検索部３３は、主制御部２０から記憶部２３に記憶されている全ての提供楽曲データ、提供画像データ、録音ラジオデータ、録音楽曲データ及び録音音声データ（以下、これらをまとめて記憶データと呼ぶ）のファイル名を検索するように要求されると、当該記憶部２３に記憶している全ての記憶データのファイル名を検索する。そして記憶データ検索部３３は、その検索した全てのファイル名を、提供楽曲フォルダや提供画像フォルダ、録音ラジオフォルダ、録音楽曲フォルダ及び録音音声フォルダにそれぞれ関連付けられた記憶データのものと、当該提供楽曲フォルダや提供画像フォルダに関連付けられてはいない提供楽曲データや提供画像データのものとに区別する。また記憶データ検索部３３は、録音ラジオフォルダ、録音楽曲フォルダ、録音音声フォルダ、提供楽曲フォルダ及び提供画像フォルダのフォルダ名と、当該提供楽曲フォルダ及び提供画像フォルダに関連付けられていない提供楽曲データ及び提供画像データのファイル名とをリスト化すると共に、その検索したファイル名を、録音ラジオフォルダ、録音楽曲フォルダ、録音音声フォルダ、提供楽曲フォルダ及び提供画像フォルダに関連付けられている記憶データのもの毎にリスト化して、これらリストを示す記憶データリストを生成する。これにより記憶データ検索部３３は、かかる記憶データリストを主制御部２０経由で表示制御部２７に送出する。
【００３３】
また記憶データ検索部３３は、表示制御部２７に送出した記憶データリストをもとに、ユーザにより記憶データのファイル名が選択され、その記憶データに対応する提供楽曲関連情報、提供画像関連情報、録音ラジオ関連情報、録音楽曲関連情報及び録音音声関連情報（以下、これらをまとめて記憶データ関連情報と呼ぶ）が要求されたことで、主制御部２０からその選択されたファイル名が与えられると共に、当該ファイル名の記憶データに対応する記憶データ関連情報が要求されると、記憶部２３に記憶されている複数の記憶データ関連情報のうち、当該選択されたファイル名の記憶データに対応する記憶データ関連情報を検索する。そして記憶データ検索部３３は、記憶部２３から検索した記憶データ関連情報を読み出して主制御部２０経由で表示制御部２７に送出する。ところで記憶データ検索部３３は、表示制御部２７に送出した記憶データリストをもとに、ユーザにより削除する記憶データのファイル名が選択され、当該選択されたファイル名が主制御部２０から通知されると、記憶部２３に記録されている複数の記憶データのうち、その選択されたファイル名の記憶データを削除する。
【００３４】
さらにまた計時部３４は、現在の日時を計時しており、その計時した日時を示す日時情報を主制御部２０や録音処理部２５、表示制御部２７等の各回路に提供している。これにより計時部３４は、主制御部２０や録音処理部２５に対し日時情報に基づき、提供楽曲データ及び提供画像データの記憶日時を検出させ、またラジオ放送、転送楽曲及び集音音声の録音日時を検出させ得るようになされている。
【００３５】
これに加えて表示制御部２７は、ユーザにより各種操作キーが操作されると、記憶部２３からこれに予め記憶されたメニュー画面データ等の各種表示画面データを読み出し、当該読み出した各種表示画面データを表示部３に送出する。この場合、図４に示すように、表示制御部２７は、各種表示画面データに基づくメニュー画面４０等の表示画面の上側を筐体一端側にし、かつ当該表示画面の下側を筐体他端側にして、表示部３に表示画面を表示する。実際上、表示制御部２７は、ユーザによりメニュー表示キー７が押下操作されると、記憶部２３からこれに予め記憶されたメニュー画面データを読み出して表示部３に送出する。これにより表示制御部２７は、表示部３に対しメニュー画面データに基づく図５に示すようなメニュー画面４０を表示する。
【００３６】
かかるメニュー画面４０には、携帯端末装置１で実現可能な各種機能を選択項目として示す例えば９個の表示子（以下、これをアイコンと呼ぶ）が３行３列のアレイ状に配置されている。実際に各種アイコンは、楽曲再生機能を選択させるための楽曲再生選択アイコン４１と、画像表示機能を選択させるための画像表示選択アイコン４２と、ラジオ放送聴取機能を選択させるためのラジオ放送選択アイコン４３と、録音機能を選択させるための録音選択アイコン４４と、記憶データの一覧表示機能を選択させるための一覧表示選択アイコン４５と、日時表示機能を選択させるための日時表示選択アイコン４６と、カレンダ表示機能を選択させるためのカレンダ表示選択アイコン４７と、設定機能を選択させるための設定選択アイコン４８と、表示部３に表示する表示画面を現在のものより１つ前の表示画面に戻すように切り替える画面切替機能を選択させるための画面切替選択アイコン４９とであり、これらの行を筐体長手方向と平行にし、かつ列を筐体幅方向と平行にしてメニュー画面４０内に配置されている。因みに各種アイコンは、それぞれ選択項目としての各種機能を表す絵柄に形成されている。
【００３７】
またメニュー画面４０上には、楽曲再生選択アイコン４１、画像表示選択アイコン４２、ラジオ放送選択アイコン４３、録音選択アイコン４４、一覧表示選択アイコン４５、日時表示選択アイコン４６、カレンダ表示選択アイコン４７、設定選択アイコン４８及び画面切替選択アイコン４９（以下、これらをまとめて機能選択アイコンと呼ぶ）の中から何れか１つを選択させるための指示子（以下、これをカーソルと呼ぶ）５０も当該何れか１つの機能選択アイコンに重ねて表示されている。因みにかかるカーソル５０は、見かけは透明だが、当該カーソル５０が重ねられた機能選択アイコンの絵柄の例えば輝度を他の機能選択アイコンの絵柄の輝度よりも高くして当該１つの機能選択アイコンが選択されていることを示すようになされている。
【００３８】
そして表示制御部２７は、表示部３にメニュー画面４０を表示した状態で、ユーザにより３方向操作キー４が筐体一端側に傾斜操作されると、カーソル５０を筐体一端側へ選択項目１つ分移動させるように命令されたことを認識して、メニュー画面４０上でカーソル５０を筐体長手方向と平行に筐体一端側へ機能選択アイコン１つ分移動させる。これにより表示制御部２７は、３方向操作キー４が筐体一端側へ傾斜操作されたとき、輝度を高くする機能選択アイコンを筐体長手方向に沿って筐体一端側の隣りのものに切り替える。また表示制御部２７は、ユーザにより３方向操作キー４が筐体他端側に傾斜操作されると、カーソル５０を筐体他端側へ選択項目１つ分移動させるように命令されたことを認識して、メニュー画面４０上でカーソル５０を筐体長手方向と平行に筐体他端側へ機能選択アイコン１つ分移動させる。これにより表示制御部２７は、３方向操作キー４が筐体他端側へ傾斜操作されたとき、輝度を高くする機能選択アイコンを筐体長手方向に沿って筐体他端側の隣りのものに切り替える。
【００３９】
さらに表示制御部２７は、ユーザにより右側操作キー５が押下操作されると、カーソル５０を右側（すなわち、筐体右側面２Ｂ側）へ選択項目１つ分移動させるように命令されたことを認識して、メニュー画面４０上でカーソル５０を筐体幅方向と平行に筐体右側面２Ｂ側へ機能選択アイコン１つ分移動させる。これにより表示制御部２７は、右側操作キー５が押下操作されたとき、輝度を高くする機能選択アイコンを筐体幅方向に沿って筐体右側面２Ｂ側の隣りのものに切り替える。さらにまた表示制御部２７は、ユーザにより左側操作キー６が押下操作されると、カーソル５０を左側（すなわち、筐体左側面２Ｄ側）へ選択項目１つ分移動させるように命令されたことを認識して、メニュー画面４０上でカーソル５０を筐体幅方向と平行に筐体左側面２Ｄ側へ機能選択アイコン１つ分移動させる。これにより表示制御部２７は、左側操作キー６が押下操作されたとき、輝度を高くする機能選択アイコンを筐体幅方向に沿って筐体左側面２Ｄ側の隣りのものに切り替える。このようにして表示制御部２７は、ユーザによる３方向操作キー４、右側操作キー５及び左側操作キー６の操作に応じて、メニュー画面４０上でカーソル５０を移動させて何れか１つの機能選択アイコンを任意に選択させ得ると共に、当該選択された機能選択アイコンを他の機能選択アイコンよりも輝度を高くして的確に通知し得るようになされている。
【００４０】
表示制御部２７は、表示部３に表示したメニュー画面４０上において例えば楽曲再生選択アイコン４１が選択された状態（すなわち、カーソル５０を重ねた状態）でユーザにより３方向操作キー４が押下操作されると、当該楽曲再生選択アイコン４１の選択が確定されたことを認識し、楽曲データ検索部２６から主制御部２０経由で上述した提供楽曲データリストを取得する。また表示制御部２７は、記憶部２３からこれに予め記憶された楽曲リスト提示画面データを読み出す。そして表示制御部２７は、かかる楽曲リスト提示画面データに提供楽曲データリストを合成し、得られた合成表示画面データを表示部３に送出する。これにより表示制御部２７は、表示部３に対しメニュー画面４０に替えて、合成表示画面データに基づく図６に示すような楽曲リスト提示画面５５を表示する。
【００４１】
この場合、かかる楽曲リスト提示画面５５には、選択項目として、提供楽曲フォルダのフォルダ名５６と当該提供楽曲フォルダに関連付けられていない提供楽曲データのファイル名５７とが筐体一端側から筐体他端側へ筐体長手方向に沿って順番に並べられてリスト表示されている。また楽曲リスト提示画面５５には、リスト表示されたフォルダ名５６やファイル名５７の中から何れか１つを選択させるためのカーソル５８も当該何れか１つのフォルダ名５６又はファイル名５７に重ねて表示されている。因みに、かかるアイコン５８は、これが重ねられたフォルダ名５６やファイル名５７の文字を他のフォルダ名５６やファイル名５７の文字に比べて反転表示させることで、当該１つのフォルダ名５６やファイル名５７が選択されていることを示すようになされている。
【００４２】
表示制御部２７は、このように表示部３に対し楽曲リスト提示画面５５を表示した状態で、ユーザにより３方向操作キー４が筐体一端側に傾斜操作されると、カーソル５８を筐体一端側へ選択項目１つ分移動させるように命令されたことを認識して、楽曲リスト提示画面５５上でカーソル５８を筐体長手方向と平行に筐体一端側へ、フォルダ名５６やファイル名５７のような選択項目１つ分移動させる。これにより表示制御部２７は、３方向操作キー４が筐体一端側へ傾斜操作されたとき、文字を反転表示させるフォルダ名５６又はファイル名５７を筐体長手方向に沿って筐体一端側の隣りのものに切り替える。また表示制御部２７は、ユーザにより３方向操作キー４が筐体他端側に傾斜操作されると、カーソル５８を筐体他端側へ選択項目１つ分移動させるように命令されたことを認識して、楽曲リスト提示画面５５上でカーソル５８を筐体長手方向と平行に筐体他端側へフォルダ名５６やファイル名５７のような選択項目１つ分移動させる。これにより表示制御部２７は、３方向操作キー４が筐体他端側へ傾斜操作されたとき、文字を反転表示させるフォルダ名５６又はファイル名５７を筐体長手方向に沿って筐体他端側の隣りのものに切り替える。
【００４３】
さらに表示制御部２７は、楽曲リスト提示画面５５上でカーソル５８を、画面の他端に表示されるファイル名５７に重ねた状態で、ユーザにより３方向操作キー４が筐体他端側に傾斜操作されると、楽曲リスト提示画面５５上でカーソル５８を停止させたまま、リスト表示しているフォルダ名５６及びファイル名５７全体を筐体長手方向と平行に筐体一端側へ当該フォルダ名５６やファイル名５７のような選択項目１つ分スクロール（すなわち、移動）させる。これにより表示制御部２７は、楽曲リスト提示画面５５上に表示しきれなかったファイル名５７を当該楽曲リスト提示画面５５上で目視させることができる。
【００４４】
さらにまた表示制御部２７は、楽曲リスト提示画面５５上でカーソル５８を、画面の一端に表示されるファイル名５７に重ねた状態で、ユーザにより３方向操作キー４が筐体一端側に傾斜操作されると、楽曲リスト提示画面５５上でカーソル５８を停止させたまま、リスト表示しているフォルダ名５６及びファイル名５７全体を筐体長手方向と平行に筐体他端側へ当該フォルダ名５６やファイル名５７のような選択項目１つ分スクロールさせる。これにより表示制御部２７は、楽曲リスト提示画面５５上に表示しきれなかったフォルダ名５６やファイル名５７を当該楽曲リスト提示画面５５上で目視させることができる。このようにして表示制御部２７は、ユーザによる３方向操作キー４の傾斜操作に応じて、楽曲リスト提示画面５５上でカーソル５８を何れか１つのフォルダ名５６又はファイル名５７に任意に重ねて選択させ得ると共に、当該選択されたフォルダ名５６又はファイル名５７の文字を他のフォルダ名５６やファイル名５７の文字に対し反転表示させて的確に通知し得るようになされている。
【００４５】
因みに表示制御部２７は、表示部３に表示した楽曲リスト提示画面５５上でフォルダ名５６が選択された状態（すなわち、カーソル５８を重ねた状態）で、ユーザにより３方向操作キー４が押下操作され、又は右側操作キー５が押下操作されると、当該フォルダ名５６の選択が確定されたことを認識して楽曲リスト提示画面５５の表示内容を更新する。この場合、表示制御部２７は、表示内容を更新した図示しない楽曲リスト提示画面（以下、これを内容更新リスト提示画面と呼ぶ）において、提供楽曲フォルダに関連付けられている提供楽曲データのファイル名のみを筐体一端側から筐体他端側へ筐体長手方向に沿って順番に並べてリスト表示すると共に、カーソルも重ねて表示する。そして表示制御部２７は、表示部３に内容変更リスト提示画面を表示した場合も、上述と同様にユーザによる３方向操作キー４の傾斜操作に応じて当該内容変更リスト提示画面上でカーソルを移動させて任意に１つのファイル名を選択させることができる。なお表示制御部２７は、例えば表示部３に内容変更リスト提示画面を表示した状態で、ユーザにより左側操作キー６が押下操作されると、１つ前の表示画面に戻すように命令されたことを認識し、表示部３に対し内容変更リスト提示画面に替えて、楽曲リスト提示画面５５を表示させる。
【００４６】
表示制御部２７は、表示部３に表示した楽曲リスト提示画面５５や内容変更リスト提示画面上で何れか１つのファイル名５７が選択された状態（すなわち、カーソル５８を重ねた状態）で、ユーザにより３方向操作キー４が押下操作されると、当該ファイル名５７の選択が確定されたことを認識する。そして表示制御部２７は、選択の確定されたファイル名（以下、これを選択確定ファイル名と呼ぶ）５７を、再生する提供楽曲データのファイル名として主制御部２０経由で、楽曲データ再生部２８に通知する。また表示制御部２７は、楽曲データ検索部２６から主制御部２０経由で、選択確定ファイル名５７の提供楽曲データに対応する提供楽曲関連情報を取得する。ただし表示制御部２７は、選択確定ファイル名５７の提供楽曲データに歌詞データが対応付けられていると、楽曲データ検索部２６から主制御部２０経由で当該歌詞データも取得している。また表示制御部２７は、楽曲データ再生部２８から主制御部２０経由で、選択確定ファイル名５７の提供楽曲データに基づく提供楽曲（以下、これを選択確定楽曲と呼ぶ）の再生経過時間を示す時間情報も取得している。
【００４７】
そして表示制御部２７は、記憶部２３からこれに予め記憶された楽曲再生画面データを読み出す。この際、表示制御部２７は、かかる楽曲再生画面データに提供楽曲関連情報及び歌詞データを合成し、得られた合成表示画面データを表示部３に送出する。これにより表示制御部２７は、表示部３に対し合成表示画面データに基づく図７に示すような楽曲再生画面６０を表示する。この場合、かかる楽曲再生画面６０には、筐体一端側に、選択確定ファイル名５７の提供楽曲データに関連するアーティスト名６１、アルバムタイトル６２及び提供楽曲タイトル６２が表示されている。また楽曲再生画面６０には、中央部に歌詞表示領域６０Ａが設けられ、かかる歌詞表示領域６０Ａ内には、選択確定楽曲の再生経過時間に応じて、歌詞データに基づいて得られる提供楽曲タイトルやアーティスト名、フレーズ毎の歌詞の一部を表す表示文字が順次切り替えて表示される。さらに楽曲再生画面６０は、筐体他端側に再生や一時停止、停止等の状態を通知するための状態通知アイコン６４や再生経過時間６５、選択確定楽曲の属するジャンルのジャンル名６６、再生条件選択キー１１の押下操作に応じて選択された再生条件６７、バッテリの残量を示す残量通知アイコン５８が表示されている。従って表示制御部２７は、表示部３に対し、かかる楽曲再生画面６０を表示することで、選択確定楽曲に関する種々の情報等を通知することができる。
【００４８】
因みに表示制御部２７は、上述した楽曲リスト提示画面５５や内容変更リスト提示画面上で何れか１つのファイル名５７が選択され、その選択が確定されると、表示部３に対し楽曲再生画面６０を表示するものの、その時点に選択確定楽曲の再生が開始されるため、当該楽曲再生画面６０には選択確定楽曲が再生中であることを通知するための状態通知アイコン６４を表示する。また表示制御部２７は、選択確定楽曲の再生中に３方向操作キー４が予め選定された所定時間よりも短い時間内で押下操作されると、当該選択確定楽曲の再生が一時停止され、同様に短い時間内で再び押下操作されると、再生が再開されることにより、これに応じて楽曲再生画面６０に表示する状態通知アイコン６４を一時停止や再生中を示すものに切り替える。さらに表示制御部２７は、選択確定楽曲の再生中や一時停止中に３方向操作キー４が所定時間以上押下されると、当該選択確定楽曲の再生が停止されることにより、これに応じて楽曲再生画面６０に表示する状態通知アイコン６４を再生の停止を示すものに切り替える。
【００４９】
ところで表示制御部２７は、表示部３に対し楽曲再生画面６０を表示しているときに、表示切替キー１０が押下操作されると、記憶部２３からこれに予め記憶された楽曲情報提示画面データを読み出す。そして表示制御部２７は、かかる楽曲情報提示画面データに提供楽曲関連情報を合成し、得られた合成表示画面データを表示部３に送出する。これにより表示制御部２７は、表示部３に対し楽曲再生画面６０に替えて、合成表示画面データに基づく図８に示すような楽曲情報提示画面７０を表示する。かかる楽曲情報提示画面７０は、筐体一端側から筐体他端側へ筐体長手方向に沿って、選択確定ファイル名５７の提供楽曲データに関連するアーティスト名７１、アルバムタイトル７２、提供楽曲タイトル７３、データフォーマット７４及び記憶日時７５が並べて表示されている。また楽曲情報提示画面７０の筐体他端側には、上述した楽曲再生画面６０と同様に、状態通知アイコン６４、再生経過時間６５、ジャンル名６６、再生条件６７及び残量通知アイコン６８が表示されている。従って表示制御部２７は、表示部３に対し、かかる楽曲情報提示画面７０を表示することで、選択確定ファイル名５７の提供楽曲データに関連する提供楽曲関連情報の内容を詳細に通知することができる。
【００５０】
また表示制御部２７は、表示部３に対し楽曲情報提示画面７０を表示しているときに、再び表示切替キー１０が押下操作されると、記憶部２３からこれに予め記憶された例えば図９乃至図１１に示すような３種類のアニメーション画像７７乃至７９のアニメーション画像データのうち、ユーザにより任意に選択された１つのアニメーション画像７７、７８又は７９のアニメーション画像データを読み出す。そして表示制御部２７は、かかるアニメーション画像データを表示部３に送出することにより、当該表示部３に対し、楽曲情報提示画面７０に替えて、アニメーション画像データに基づくアニメーション画像７７、７８又は７９を表示する。この場合、アニメーション画像７７乃至７９は、それぞれ提供楽曲の再生の進行に合わせて、表示内容を変化させるように構成されている。従って表示制御部２７は、ユーザの要求に応じて表示部３に対しアニメーション画像７７乃至７９を表示したときには、選択確定楽曲と共にその再生に合わせて表示内容が変化するアニメーション画像７７乃至７９も楽しませることができるようになされている。
【００５１】
因みに表示制御部２７は、表示部３にアニメーション画像７７乃至７９を表示しているときに、選択確定楽曲の再生が一時停止され、また再生停止されると、その時点でアニメーション画像７７乃至７９の表示内容の変化も停止させる。従って表示制御部２７は、選択確定楽曲の再生中にアニメーション画像７７乃至７９を表示していると、その再生が一時停止や再生停止されたとき、これをアニメーション画像７７乃至７９の変化の停止によっても通知し得るようになされている。ところで表示制御部２７は、表示部３に対しアニメーション画像７７乃至７９を表示しているときに、表示切替キー１０が押下操作されると、表示部３に対し、かかるアニメーション画像７７乃至７９に替えて楽曲再生画面６０を表示する。このようにして表示制御部２７は、再生対象の提供楽曲が選択されると、表示切替キー１０が押下操作される毎に、表示部３に対し楽曲再生画面６０、楽曲情報提示画面７０、アニメーション画像７７乃至７９を循環的に順次切り替えて表示する。
【００５２】
また表示制御部２７は、表示部３に対し楽曲再生画面６０及び楽曲情報提示画面７０を表示しているとき、右側操作キー５が押下操作されると、提供楽曲データリストに従い、再生処理する提供楽曲データを１つ後の提供楽曲データに切り替える（すなわち、曲送り）ことを認識し、当該１つ後の提供楽曲データのファイル名を選択確定ファイル名として上述と同様に処理する。これにより表示制御部２７は、表示部３に表示している楽曲再生画面６０や楽曲情報提示画面７０の表示内容を、その１つ後の提供楽曲データに合わせて変更する。これに対し表示制御部２７は、表示部３に対し楽曲再生画面６０及び楽曲情報提示画面７０を表示しているとき、左側操作キー６が押下操作されると、提供楽曲データリストに従い、再生処理する提供楽曲データを１つ前の提供楽曲データに切り替える（すなわち、曲戻し）ことを認識して、当該１つ前の提供楽曲データのファイル名を選択確定ファイル名とし、この場合も上述と同様に処理する。これにより表示制御部２７は、表示部３に表示している楽曲再生画面６０及び楽曲情報提示画面７０の表示内容を、その１つ前の提供楽曲データに合わせて変更する。因みに右側操作キー５は、選択確定楽曲の再生中に押下操作されると、上述のように曲送り命令を入力させ得るものの、押下され続けると、その間、選択確定楽曲の再生を早送りする早送り命令を入力させ得るようになされている。また左側操作キー６は、選択確定楽曲の再生中に押下操作されると、上述のように曲戻し命令を入力させ得るものの、押下され続けると、その間、選択確定楽曲の再生を早戻しする早戻し命令を入力させ得るようになされている。
【００５３】
ところで表示制御部２７は、表示部３に対し楽曲再生画面６０、楽曲情報提示画面７０及びアニメーション画像７７乃至７９を表示している状態で、オプションキー８が押下操作されると、提供楽曲用のオプション画面を表示するように命令されたことを認識し、記憶部２３からこれに予め記憶された楽曲用オプション画面データを読み出す。そして表示制御部２７は、かかる楽曲用オプション画面データを表示部３に送出することにより、当該表示部３に対し楽曲用オプション画面データに基づく図１２に示すような楽曲用オプション画面８０を表示する。この場合、楽曲用オプション画面８０には、選択項目として、音質設定用の音質設定選択肢８１、アニメーション画像設定用のアニメーション設定選択肢８２、及び選択確定ファイル名５７の提供楽曲データを削除するための削除選択肢８３とが筐体一端側から筐体他端側へ筐体長手方向に沿ってリスト表示されている。また楽曲用オプション画面８０には、リスト表示された音質設定選択肢８１、アニメーション設定選択肢８２及び削除選択肢８３の何れか１つを選択させるためのカーソル８４も当該何れか１つの音質設定選択肢８１、アニメーション設定選択肢８２又は削除選択肢８３に重ねて表示されている。因みにカーソル８４は、上述したカーソル５８と同様に反転表示機能を有している。
【００５４】
この場合、表示制御部２７は、表示部３に対し楽曲用オプション画面８０を表示した状態で、３方向操作キー４が筐体一端側や筐体他端側に傾斜操作されると、これに応じて楽曲用オプション画面８０上でカーソル８４を筐体一端側や筐体他端側に選択項目１つ分移動させる。そして表示制御部２７は、楽曲用オプション画面８０上で例えば音質設定選択肢８１が選択された状態（すなわち、カーソル８４を重ねた状態）で、ユーザにより３方向操作キー４が押下操作されると、当該音質設定選択肢８１の選択が確定されたことを認識する。その結果、表示制御部２７は、記憶部２３からこれに予め記憶されている音質設定画面データを読み出して表示部３に送出する。これにより表示制御部２７は、表示部３に対し楽曲用オプション画面８０に替えて、音質設定画面データに基づく図１３に示すような音質設定画面８５を表示する。
【００５５】
この場合、音質設定画面８５には、選択項目として、音質設定用に予め選定された標準的な標準音質や、楽曲のジャンル毎に予め選定されたジャンル別音質を選択させるための音質選択肢８６と、ユーザに対し音質を任意に調節させるための音質調節選択肢８７とが筐体一端側から筐体他端側へ筐体長手方向に沿ってリスト表示されている。また音質設定画面８５には、楽曲用オプション画面８０と同様にカーソル８８も何れか１つの音質選択肢８６や音質調節選択肢８７に重ねて表示されている。表示制御部２７は、表示部３に対し音質設定画面８５を表示した状態で、３方向操作キー４が筐体一端側や筐体他端側に傾斜操作されると、これに応じて音質設定画面８５上でカーソル８８を筐体一端側や筐体他端側に選択項目１つ分移動させる。そして表示制御部２７は、音質設定画面８５上で何れか１つの音質選択肢８６が選択された状態（すなわち、カーソル８８を重ねた状態）で、ユーザにより３方向操作キー４が押下操作されると、当該音質選択肢８６の選択が確定されたことを認識する。その結果、表示制御部２７は、選択確定楽曲の音質を、選択の確定された音質選択肢８６に対応する標準音質又はジャンル別音質に設定する。因みに表示制御部２７は、このとき表示部３に対し音質調節画面９０に替えて、楽曲用オプション画面８０を表示する。
【００５６】
また表示制御部２７は、音質設定画面８５上で音質調節選択肢８７が選択された状態（すなわち、カーソル８８を重ねた状態）で、ユーザにより３方向操作キー４が押下操作されると、当該音質調節選択肢８７の選択が確定されたことを認識する。この際、表示制御部２７は、記憶部２３からこれに予め記憶された音質調節画面データを読み出して表示部３に送出する。これにより表示制御部２７は、表示部３に対し音質設定画面８５に替えて、音質調節画面データに基づく図１４に示すような音質調節画面９０を表示する。この場合、音質調節画面９０には、所定周波数帯域毎の音質調節用の長細い調節バー９１Ａ乃至９１Ｅが筐体長手方向と平行に表示されている。また音質調節画面９０には、調節する周波数帯域を何れか１つの調節バー９１Ａ乃至９１Ｅとして選択させるためのカーソル９２も表示されている。ところでカーソル９２は、調節バー９１Ａ乃至９１Ｅに重ねて表示され、音質を調節するための調節つまみとして描画されている。また調節バー９１Ａ乃至９１Ｅには、例えば筐体長手方向に沿って複数の目盛りが設定され、カーソル９２は、かかる調節バー９１Ａ乃至９１Ｅ上を１目盛りずつ筐体一端側及び筐体他端側へ移動することで、当該目盛りを選択させ得るようにもなされている。そして音質調節画面９０には、筐体他端側に、調節バー９１Ａ乃至９１Ｅそれぞれに対応させて当該調節バー９１Ａ乃至９１Ｅ上でカーソル９２により選択された目盛りの値が表示される。
【００５７】
表示制御部２７は、表示部３に対し音質調節画面９０を表示した状態で、右側操作キー５が押下操作されると、カーソル９２を右側（すなわち、筐体右側面２Ｂ側）へ移動させるように命令されたことを認識し、当該カーソル９２をその時点よりも１つ右側の調節バー９１Ａ乃至９１Ｅ上に移動させる。また表示制御部２７は、ユーザにより左側操作キー６が押下操作されると、カーソル９２を左側（すなわち、筐体左側面２Ｄ側）へ移動させるように命令されたことを認識し、当該カーソル９２をその時点よりも１つ左側の調節バー９１Ａ乃至９１Ｅ上に移動させる。さらに表示制御部２７は、何れか１つの調節バー９１Ａ乃至９１Ｅ上にカーソル９２を位置させた状態で、３方向操作キー４が筐体一端側へ傾斜操作されると、カーソル９２を筐体長手方向に沿って筐体一端側へ移動させるように命令されたことを認識し、当該カーソル９２をその調節バー９１Ａ乃至９１Ｅ上で筐体一端側へ１目盛り分移動させる。さらにまた表示制御部２７は、何れか１つの調節バー９１Ａ乃至９１Ｅ上にカーソル９２を位置させた状態で、３方向操作キー４が筐体他端側へ傾斜操作されると、カーソル９２を筐体長手方向に沿って筐体他端側へ移動させるように命令されたことを認識し、当該カーソル９２をその調節バー９１Ａ乃至９１Ｅ上で筐体他端側へ１目盛り分移動させる。このようにして表示制御部２７は、調節バー９１Ａ乃至９１Ｅ毎にカーソル９２を移動させて目盛りを選択させる。
【００５８】
そして表示制御部２７は、表示部３に音質調節画面９０を表示した状態で、ユーザにより３方向操作キー４が押下操作されると、音質の調節が完了したことを認識し、その時点までに各調節バー９１Ａ乃至９１Ｅ上で選択された目盛りの値に応じて選択確定楽曲の音質を設定する。また表示制御部２７は、このとき表示部３に対し音質調節画面９０に替えて、楽曲用オプション画面８０を表示する。このようにして表示制御部２７は、ユーザに対し音質を設定させることができる。因みに表示制御部２７は、このように音質を設定すると、かかる設定をその後の他の提供楽曲や転送楽曲等の音質の設定としても反映させる。
【００５９】
また表示制御部２７は、表示部３に対し楽曲用オプション画面８０を表示し、例えばアニメーション設定選択肢８２が選択された状態（すなわち、カーソル８４を重ねた状態）で、ユーザにより３方向操作キー４が押下操作されると、当該アニメーション設定選択肢８２の選択が確定されたことを認識する。その結果、表示制御部２７は、記憶部２３からこれに予め記憶されているアニメーション設定画面データを読み出して表示部３に送出する。これにより表示制御部２７は、このとき表示部３に対し楽曲用オプション画面８０に替えて、アニメーション設定画面データに基づく図１５に示すようなアニメーション設定画面９５を表示する。
【００６０】
この場合、アニメーション設定画面９５には、選択項目として、上述した３種類のアニメーション画像７７乃至７９を任意に選択させるためのアニメーション選択肢９６Ａ乃至９６Ｃが筐体一端側から筐体他端側へ筐体長手方向に沿ってリスト表示されている。またアニメーション設定画面９５には、楽曲用オプション画面８０と同様にカーソル９７も何れか１つのアニメーション選択肢９６Ａ乃至９６Ｃに重ねて表示されている。表示制御部２７は、表示部３に対しアニメーション設定画面９５を表示した状態で、３方向操作キー４が筐体一端側や筐体他端側に傾斜操作されると、これに応じてアニメーション設定画面９５上でカーソル９７を筐体一端側や筐体他端側に選択項目１つ分移動させる。そして表示制御部２７は、アニメーション設定画面９５上で何れか１つのアニメーション選択肢９６Ａ乃至９６Ｃが選択された状態（すなわち、カーソル９７を重ねた状態）で、ユーザにより３方向操作キー４が押下操作されると、当該アニメーション選択肢９６Ａ乃至９６Ｃの選択が確定されたことを認識する。その結果、表示制御部２７は、選択の確定したアニメーション選択肢９６Ａ乃至９６Ｃに対応するアニメーション画像７７乃至７９を、今後、表示切替キー１０の押下操作に応じて表示部３に表示するように設定する。
【００６１】
ところで表示制御部２７は、表示部３に表示したメニュー画面４０上において例えば画像表示選択アイコン４２が選択された状態（すなわち、カーソル５０を重ねた状態）でユーザにより３方向操作キー４が押下操作されると、当該画像表示選択アイコン４２の選択が確定されたことを認識し、画像データ検索部２９から主制御部２０経由で上述した提供画像データリストを取得する。また表示制御部２７は、記憶部２３からこれに予め記憶された画像リスト提示画面データを読み出す。そして表示制御部２７は、かかる画像リスト提示画面データに提供画像データリストを合成し、得られた合成表示画面データを表示部３に送出する。これにより表示制御部２７は、表示部３に対しメニュー画面４０に替えて、合成表示画面データに基づく図１６に示すような画像リスト提示画面１００を表示する。
【００６２】
この場合、かかる画像リスト提示画面１００には、選択項目として、提供画像フォルダのフォルダ名１０１と当該提供画像フォルダに関連付けられていない提供画像データのファイル名１０２とが筐体一端側から筐体他端側へ筐体長手方向に沿って順番に並べられてリスト表示されている。また画像リスト提示画面１００には、楽曲リスト提示画面５５と同様なカーソル１０３も当該何れか１つのフォルダ名１０１又はファイル名１０２に重ねて表示されている。そして表示制御部２７は、このように表示部３に対し画像リスト提示画面１００を表示した状態で、ユーザにより３方向操作キー４が筐体一端側や筐体他端側に傾斜操作されると、上述した楽曲リスト提示画面５５の場合と同様にカーソル１０３を移動させ、ファイル名１０２を選択させる。また表示制御部２７は、表示部３に対し画像リスト提示画面１００を表示したときには、楽曲リスト提示画面５５を表示した場合と同様に、リスト表示したフォルダ名１０１やファイル名１０２をスクロール表示させると共に、フォルダ名１０１の選択が確定された時には、画像リスト提示画面１００の表示内容を更新する。
【００６３】
このようにして表示制御部２７は、表示部３に表示した画像リスト提示画面１００（表示内容を変更したものも含む）上で何れか１つのファイル名１０２が選択された状態（すなわち、カーソル１０３を重ねた状態）で、ユーザにより３方向操作キー４が押下操作され、又は右側操作キー５が押下操作されると、当該ファイル名１０２の選択が確定されたことを認識する。そして表示制御部２７は、選択確定ファイル名１０２を、再生する提供画像データのファイル名として主制御部２０経由で画像データ再生部３０に通知する。これにより表示制御部２７は、表示部３に対し画像リスト提示画面１００に替えて、画像データ再生部３０で提供画像データを再生処理して得られる図１７に示すような提供画像１０５を表示させる。
【００６４】
因みに表示制御部２７は、表示部３に対し提供画像１０５が表示されているときに、右側操作キー５が押下操作されると、提供画像データリストに従い、再生処理する提供画像データを１つ後の提供画像データに切り替える（すなわち、画像送り）ことを認識し、当該１つ後の提供画像データのファイル名を選択確定ファイル名として上述と同様に処理する。これにより表示制御部２７は、表示部３に表示する提供画像１０５を切り替える。これに対し表示制御部２７は、表示部３に対し提供画像１０５が表示されているときに、左側操作キー６が押下操作されると、提供画像データリストに従い、再生処理する提供画像データを１つ前の提供画像データに切り替える（すなわち、画像戻し）ことを認識し、当該１つ前の提供画像データのファイル名を選択確定ファイル名として上述と同様に処理する。これにより表示制御部２７は、表示部３に表示する提供画像１０５を切り替える。
【００６５】
ところで表示制御部２７は、表示部３に対し提供画像１０５が表示された状態で、オプションキー８が押下操作されると、提供画像用のオプション画面を表示するように命令されたことを認識し、記憶部２３からこれに予め記憶された画像用オプション画面データを読み出す。そして表示制御部２７は、かかる画像用オプション画面データを表示部３に送出することにより、当該表示部３に対し画像用オプション画面データに基づく図１８に示すような画像用オプション画面１１０を表示する。この場合、画像用オプション画面１１０には、選択項目として、選択確定ファイル名１０２の提供画像データに対応する提供画像関連情報の提示を選択させる画像情報提示選択肢１１１と、選択確定ファイル名１０２の提供画像データを削除するための削除選択肢１１２とが筐体一端側から筐体他端側へ筐体長手方向に沿ってリスト表示されている。また画像用オプション画面１１０には、リスト表示された画像情報提示選択肢１１１及び削除選択肢１１２の何れか１つを選択させるためのカーソル１１３も当該何れか１つの画像情報提示選択肢１１１又は削除選択肢１１２に重ねて表示されている。因みにカーソル１１３は、上述と同様に反転表示機能を有している。
【００６６】
そして表示制御部２７は、表示部３に対し、画像用オプション画面１１０を表示したとき、画像情報提示選択肢１１１が選択された状態（すなわち、カーソル１１３を重ねた状態）でユーザにより３方向操作キー４が押下操作されると、当該画像情報提示選択肢１１１の選択が確定されたことを認識し、記憶部２３からこれに予め記憶された画像情報提示画面データを読み出す。また表示制御部２７は、画像データ検索部２９から主制御部２０経由で、選択確定ファイル名１０２の提供画像データに対応する提供画像関連情報を取得する。そして表示制御部２７は、かかる画像情報提示画面データに提供画像関連情報を合成し、得られた合成表示画面データを表示部３に送出する。これにより表示制御部２７は、表示部３に対し提供画像１０５に替えて、合成表示画面データに基づく図１９に示すような画像情報提示画面１１５を表示する。かかる画像情報提示画面１１０は、筐体一端側から筐体他端側へ筐体長手方向に沿って、選択確定ファイル名１０２の提供画像データに関連する記憶日時１１６、データサイズ１１７及びデータフォーマット１１８が並べて表示されている。従って表示制御部２７は、表示部３に対し、かかる画像情報提示画面１１５を表示することで、選択確定ファイル名１０２の提供画像データに関連する提供画像関連情報の内容を詳細に通知することができる。
【００６７】
また表示制御部２７は、表示部３に表示したメニュー画面４０上において例えばラジオ放送選択アイコン４３が選択された状態（すなわち、カーソル５０を重ねた状態）でユーザにより３方向操作キー４が押下操作されると、当該ラジオ放送選択アイコン４３の選択が確定されたことを認識する。そして表示制御部２７は、記憶部２３からこれに予め記憶されたラジオ放送受信画面データを読み出して表示部３に送出する。これにより表示制御部２７は、表示部３に対しメニュー画面４０に替えて、かかるラジオ放送受信画面データに基づく図２０に示すようなラジオ放送受信画面１２０を表示する。
【００６８】
この場合、かかるラジオ放送受信画面１２０には、周波数を表示する周波数表示領域１２０Ａと、予め登録されている放送周波数の登録番号を表示する登録番号表示領域１２０Ｂと、受信可能な周波数範囲を示す周波数範囲通知部１２０Ｃとが設けられている。またラジオ放送受信画面１２０には、周波数表示領域１２０Ａ及び登録番号表示領域１２０Ｂの何れか一方を任意に選択させるためのカーソル１２１も表示されている。さらにラジオ放送受信画面１２０には、受信しているラジオ放送がステレオ音声及びモノラル音声の何れであるかを通知する音声種別通知アイコン１２２と残量通知アイコン１２３とが表示されている。
【００６９】
この場合、表示制御部２７は、表示部３に対しラジオ放送受信画面１２０を表示した状態で、右側操作キー５や左側操作キー６が押下操作されると、カーソル１２１を周波数表示領域１２０Ａや登録番号表示領域１２０Ｂに合わせるように要求されたことを認識し、当該ラジオ放送受信画面１２０上でカーソル１２１を周波数表示領域１２０Ａや登録番号表示領域１２０Ｂに合わせる。そして表示制御部２７は、ラシオ放送受信画面１２０上で登録番号表示領域１２０Ｂにカーソル１２１を合わせた状態で、３方向操作キー４が筐体一端側や筐体他端側に傾斜操作されると、登録番号を切り替えるように要求されたことを認識し、登録番号表示領域１２０Ｂ内に表示する登録番号を切り替えると共に、当該登録番号表示領域１２０Ｂ内に表示させた登録番号に対応する放送周波数（すなわち、登録されている放送周波数）を周波数表示領域１２０Ａ内に表示する。このようにして表示制御部２７は、ラジオ放送受信画面１２０上で、受信するラジオ放送の放送周波数を任意に選択させ（すなわち、周波数表示領域１２０Ａ内に表示した放送周波数である）、当該選択された放送周波数をチューナ部２４に通知する。これにより表示制御部２７は、ユーザに対しラジオ放送を聴取させることができる。
【００７０】
また表示制御部２７は、ラジオ放送受信画面１２０上で周波数表示領域１２０Ａにカーソル１２１を合わせた状態で、３方向操作キー４が予め選定された所定時間よりも短い時間内で筐体一端側や筐体他端側に傾斜操作されると、その都度、受信する周波数を例えば所定刻み（例えば、0.05〔ＭＨｚ〕刻み）で変化させるようにチューナ部２４に通知すると共に、当該変化させた周波数を周波数表示領域１２０Ａ内に表示する。これによりチューナ部２４は、受信する周波数を順次変更すると共に、当該変更した周波数の受信結果をイヤホンから出力させ、かくしてユーザに実際に音を聞かせながら放送周波数を検出させる。また表示制御部２７は、この際に３方向操作キー４が所定持間以上筐体一端側や筐体他端側に傾斜され続けると、チューナ部２４に対し受信可能な周波数の中でラジオ放送の放送周波数を自動的に検出させ、当該検出された放送周波数をラジオ放送受信画面１２０の周波数表示領域１２０Ａ内に表示する。このようにして表示制御部２７は、受信可能なラジオ放送の放送周波数を手動で検出させ又は自動で検出させることもできる。
【００７１】
ところで表示制御部２７は、表示部３にラジオ放送受信画面１２０を表示した状態で、オプションキー８が押下操作されると、ラジオ放送用のプション画面を表示するように命令されたことを認識し、記憶部２３からこれに予め記憶されたラジオ放送用オプション画面データを読み出して表示部３に送出する。これにより表示制御部２７は、表示部３に対しラジオ放送用オプション画面データに基づく図２１に示すようなラジオ放送用オプション画面１２５を表示する。この場合、ラジオ放送用オプション画面１２５には、選択項目として、ラジオ放送録音選択肢１２６、周波数登録選択肢１２７、登録されている放送周波数を削除するための周波数削除選択肢１２８が筐体一端側から筐体他端側へ筐体長手方向に沿ってリスト表示されている。またラジオ放送用オプション画面１２５には、リスト表示されたラジオ放送録音選択肢１２６、周波数登録選択肢１２７及び周波数削除選択肢１２７の何れか１つを選択させるためのカーソル１２９も当該何れか１つのラジオ放送録音選択肢１２６、周波数登録選択肢１２７又は周波数削除選択肢１２８に重ねて表示されている。因みにカーソル１２９は、上述と同様に反転表示機能を有している。
【００７２】
そして表示制御部２７は、表示部３に対し、かかるラジオ放送用オプション画面１２５を表示したとき、ラジオ放送録音選択肢１２６が選択された状態（すなわち、カーソル１２９を重ねた状態）で、ユーザにより３方向操作キー４が押下操作されると、当該ラジオ放送録音選択肢１２６の選択が確定されたことを認識する。そして表示制御部２７は、その時点に受信しているラジオ放送を録音するように録音処理部２５に依頼すると共に、記憶部２３からこれに予め記憶されたラジオ放送録音画面データを読み出す。また表示制御部２７は、このとき録音処理部２５から主制御部２０経由で、録音するラジオ放送に関連する情報（かかる情報は、後に録音ラジオ関連情報の一部となる）を取得し、その情報をラジオ放送録音画面データに合成することにより合成表示画面データを得て表示部３に送出する。これにより表示制御部２７は、表示部３に対しラジオ放送用オプション画面１２５に替えて、かかる合成表示画面データに基づく図２２に示すようなラジオ放送録音画面１３０を表示する。
【００７３】
この場合、ラジオ放送録音画面１３０には、ラジオ放送に対する録音処理で生成されている録音ラジオデータのファイル名１３１、データフォーマット１３２が表示される。またラジオ放送録音画面１３０には、画面中央部に録音状況通知領域１３０Ａが設けられ、かかる録音状況通知領域１３０Ａには、予めラジオ放送の録音用として設定された最大録音可能時間（例えば、数時間程度に設定され、録音された全てのラジオ放送の合計録音時間に対する最大録音可能時間である）に対し残りの録音可能持間を示す時間通知バーや時間情報等が表示されている。さらにラジオ放送録音画面１３０には、筐体他端側にラジオ放送が録音中であることを通知する録音通知アイコン１３３、この時点に録音しているラジオ放送に対する録音経過時間１３４、現時点の録音対象がラジオ放送であることを通知する録音対象通知アイコン１３５及び残容量通知アイコン１３６が表示されている。従って表示制御部２７は、表示部３に表示したラジオ放送録音画面１３０により、ラジオ放送の録音に関する録音状況等の種々の情報を通知し得るようになされている。
【００７４】
因みに表示制御部２７は、ラジオ放送受信画面１２０上でラジオ放送の放送周波数が手動や自動で検出された状態でオプションキー８が押下操作され、これ応じて表示部３に表示したラジオ放送用オプション画面１２５上で周波数登録選択肢１２７が選択され、かかる選択が確定されると、記憶部２３から周波数登録画面データを読み出す。そして表示制御部２７は、かかる周波数登録画面データを表示部３に送出することにより、当該表示部３に対しラジオ放送用オプション画面１２５に替えて、周波数登録画面データに基づく図２３に示すような周波数登録画面１４０を表示する。かかる周波数登録画面１４０には、選択項目として、放送周波数を登録する際の複数の登録番号１４１が筐体一端側から筐体他端側へ筐体長手方向に沿って並べてリスト表示されている。また周波数登録画面１４０では、すでに登録されている放送周波数については、対応する登録番号の横に表示されている。さらに周波数登録画面１４０には、登録番号とこれに対応する放送周波数とを一括して囲むカーソル１４２が表示されている。因みにかかるカーソル１４２は、反転表示機能を有している。
【００７５】
表示制御部２７は、表示部３に対し周波数登録画面１４０を表示した状態で、ユーザにより３方向操作キー４が筐体一端側や筐体他端側に傾斜操作されると、カーソル１４１を筐体長手方向に沿って筐体一端側や筐体他端側に選択項目１つ分、移動させるように要求されたことを認識し、周波数登録画面１４０上でカーソル１４１を移動させて所望の登録番号１４１を選択させる。そして表示制御部２７は、何れかの登録番号１４１が選択された状態（すなわち、カーソル１４２を重ねた状態）で、ユーザにより３方向操作キー４が押下操作されると、放送周波数を登録するように要求されたことを認識し、先のラジオ放送受信画面１２０上で検出していた放送周波数を、その選択された登録番号１４１に対応付けて登録すると共に、その登録番号１４１の横に登録した放送周波数を表示する。このようにして表示制御部２７は、ラジオ放送の放送周波数を登録すると共に、当該登録した放送周波数を周波数登録画面１４０を介してユーザに通知する。因みに表示制御部２７は、すでに登録している放送周波数を削除するには、ラジオ放送用オプション画面１２５から周波数削除選択肢１２８の選択確定に応じて、かかる周波数登録画面１４０を表示し、当該周波数登録画面１４０上で削除する放送周波数を選択させ削除する。
【００７６】
また表示制御部２７は、表示部３に表示したメニュー画面４０上において例えば録音選択アイコン４４が選択された状態（すなわち、カーソル５０を重ねた状態）でユーザにより３方向操作キー４が押下操作されると、当該録音選択アイコン４４の選択が確定されたことを認識し、録音データ検索部３１から主制御部２０経由で上述した録音データリストを取得する。また表示制御部２７は、記憶部２３からこれに予め記憶された録音画面データを読み出す。そして表示制御部２７は、かかる録音画面データに録音データリストを合成し、得られた合成表示画面データを表示部３に送出する。これにより表示制御部２７は、表示部３に対しメニュー画面４０に替えて、合成表示画面データに基づく図２４に示すような録音画面１４５を表示する。
【００７７】
この場合、かかる録音画面１４５には、選択項目として、録音選択肢１４６、録音ラジオフォルダのフォルダ名１４７、録音楽曲フォルダのフォルダ名１４８及び録音音声フォルダのフォルダ名１４９が筐体一端側から筐体他端側へ筐体長手方向に沿って順番に並べられてリスト表示されている。また録音画面１４５には、リスト表示された録音選択肢１４６、録音ラジオフォルダのフォルダ名１４７、録音楽曲フォルダのフォルダ名１４８及び録音音声フォルダのフォルダ名１４９の中から何れか１つを選択させるためのカーソル１５０も当該何れか１つの録音選択肢１４６、録音ラジオフォルダのフォルダ名１４７、録音楽曲フォルダのフォルダ名１４８又は録音音声フォルダのフォルダ名１４９に重ねて表示されている。因みに、かかるアイコン１５０は、反転表示機能を有している。
【００７８】
表示制御部２７は、表示部３に対し録音画面１４５を表示した状態で、ユーザにより３方向操作キー４が筐体一端側や筐体他端側に傾斜操作されると、カーソル１５０を筐体長手方向に沿って筐体一端側や筐体他端側に選択項目１つ分、移動させるように要求されたことを認識し、録音画面１４５上でカーソル１５０を移動させて録音選択肢１４６、録音ラジオフォルダのフォルダ名１４７、録音楽曲フォルダのフォルダ名１４８及び録音音声フォルダのフォルダ名１４９の何れかを任意に選択させる。そして表示制御部２７は、例えば録音選択肢１４６が選択された状態（すなわち、カーソル１５０を重ねた状態）で、ユーザにより３方向操作キー４が押下操作されると、録音選択肢１４６の選択が確定されたことを認識する。そして図２５に示すように、表示制御部２７は、録音画面１４５上に録音対象選択子画面１５１を重ねて表示する。
【００７９】
この場合、録音対象選択子画面１５１には、選択項目として、録音対象としての集音音声を選択させる集音音声選択肢１５２と、当該録音対象としての転送楽曲を選択させる転送楽曲選択肢１５３とが筐体一端側から筐体他端側へ筐体長手方向に沿って順番に並べられてリスト表示されている。また録音対象選択子画面１５１には、集音音声選択肢１５２及び転送楽曲選択肢１５３の中から何れか１つを選択させるためのカーソル１５４も当該何れか１つの集音音声選択肢１５２又は転送楽曲選択肢１５３に重ねて表示されている。因みに、かかるカーソル１５４は、反転表示機能を有している。表示制御部２７は、録音画面１４５上に録音対象選択子画面１５１を表示した状態で、ユーザにより３方向操作キー４が筐体一端側や筐体他端側に傾斜操作されると、カーソル１５４を筐体長手方向に沿って筐体一端側や筐体他端側に選択項目１つ分、移動させるように要求されたことを認識し、録音対象選択子画面１５１上でカーソル１５４を移動させて所望の集音音声選択肢１５２及び転送楽曲選択肢１５３を選択させる。
【００８０】
そして表示制御部２７は、録音対象選択子画面１５１上で集音音声選択肢１５２が選択された状態（すなわち、カーソル１５４を重ねた状態）で、ユーザにより３方向操作キー４が押下操作されると、当該集音音声選択肢１５２の選択が確定されたことを認識し、録音処理部２５に対しマイクロホン１４を介して集音した集音音声を録音するように依頼する。また表示制御部２７は、録音対象選択子画面１５１上で転送楽曲選択肢１５３が選択された状態（すなわち、カーソル１５４を重ねた状態）で、ユーザにより３方向操作キー４が押下操作されると、当該転送楽曲選択肢１５３の選択が確定されたことを認識し、録音処理部２５に対し外部再生機器から再生しながら転送された転送楽曲を録音するように依頼する。これにより表示制御部２７は、録音処理部２５により集音音声及び転送楽曲を録音させることができる。因みに表示制御部２７は、かかる録音においても上述したラジオ放送の録音のときと実質的に同様な処理を実行する。これにより表示制御部２７は、表示部３に対し、録音画面１４５に替えて、ラジオ放送録音画面１３０とほぼ同様な図示しない集音音声録音画面及び転送楽曲録音画面を表示することにより、集音音声及び転送楽曲の録音に関する録音状況等の種々の情報を通知し得るようになされている。
【００８１】
また表示制御部２７は、録音画面１４５上で録音ラジオフォルダのフォルダ名１４７や録音楽曲フォルダのフォルダ名１４８、録音音声フォルダのフォルダ名１４９が選択された状態（すなわち、カーソル１５０を重ねた状態）で、ユーザにより３方向操作キー４が押下操作されると、録音ラジオフォルダのフォルダ名１４７や録音楽曲フォルダのフォルダ名１４８、録音音声フォルダのフォルダ名１４９の選択が確定されたことを認識する。そして表示制御部２７は、このとき記憶部２３から録音ラジオリスト提示画面データや録音楽曲リスト提示画面データ、録音音声リスト提示画面データを読み出し、これに録音データリストを元に対応する録音ラジオデータのファイル名や録音楽曲データのファイル名、録音音声データのファイル名を合成し表示部３に送出する。これにより表示制御部２７は、表示部３に対し録音画面１４５に替えて、上述した楽曲リスト提示画面５５と実質的に同様な構成の図示しない録音ラジオリスト提示画面や録音楽曲リスト提示画面、録音音声リスト提示画面を表示する。
【００８２】
従って表示制御部２７は、提供楽曲の再生時と同様に、かかる録音ラジオリスト提示画面や録音楽曲リスト提示画面、録音音声リスト提示画面上で再生処理する録音ラジオデータや録音楽曲データ、録音音声データを選択させ、これらの再生処理を録音データ再生部３２に依頼する。また表示制御部２７は、このときも表示部３に対し録音ラジオリスト提示画面や録音楽曲リスト提示画面、録音音声リスト提示画面に替えて、上述した楽曲再生画面６０と実質的に同様な構成の図示しない録音ラジオ再生画面や録音楽曲再生画面、録音音声再生画面を表示する。因みに表示制御部２７は、かかる録音ラジオ再生画面や録音楽曲再生画面、録音音声再生画面には、上述した楽曲再生画面６０内のアーティスト名６１、アルバムタイトル６２及び提供楽曲タイトル６２に替えて、録音処理により生成されている録音ラジオデータのファイル名や録音楽曲データのファイル名、録音音声データのファイル名と共にデータフォーマット、録音日時等を表示している。
【００８３】
また表示制御部２７は、表示部３に表示したメニュー画面４０上において例えば一覧表示選択アイコン４５が選択された状態（すなわち、カーソル５０を重ねた状態）でユーザにより３方向操作キー４が押下操作されると、当該一覧表示選択アイコン４５の選択が確定されたことを認識し、記憶データ検索部３３から主制御部２０経由で上述した記憶データリストを取得する。また表示制御部２７は、記憶部２３からこれに予め記憶された一覧表示提示画面データを読み出す。そして表示制御部２７は、かかる一覧表示提示画面データに記憶データリストを合成し、得られた合成表示画面データを表示部３に送出する。これにより表示制御部２７は、表示部３に対しメニュー画面４０に替えて、合成表示画面データに基づく図２６に示すような一覧表示画面１６０を表示する。
【００８４】
この場合、一覧表示画面１６０には、選択項目として、提供楽曲フォルダのフォルダ名１６１、提供画像フォルダのフォルダ名１６２、録音ラジオフォルダのフォルダ名１６３、録音楽曲フォルダのフォルダ名１６４、録音音声フォルダのフォルダ名１６５、当該提供楽曲フォルダ及び提供画像フォルダに関連付けられていない提供楽曲データ及び提供画像データのファイル名１６６が筐体一端側から筐体他端側へ筐体長手方向に沿って順番に並べられてリスト表示されている。また一覧表示画面１６０には、リスト表示されたフォルダ名１６１乃至１６５やファイル名１６６の中から何れか１つを選択させるためのカーソル１６７も当該何れか１つのフォルダ名１６１乃至１６５又はファイル名１６６に重ねて表示されている。因みに、かかるカーソル１６７は、反転表示機能を有している。
【００８５】
表示制御部２７は、表示部３に対し一覧表示画面１６０を表示した状態で、ユーザにより３方向操作キー４が筐体一端側や筐体他端側に傾斜操作されると、カーソル１６７を筐体長手方向に沿って筐体一端側や筐体他端側に選択項目１つ分、移動させるように要求されたことを認識し、一覧表示画面１６０上でカーソル１６７を移動させて所望のフォルダ名１６１乃至１６５又はファイル名１６６を選択させる。そして表示制御部２７は、何れかのフォルダ名１６１乃至１６６が選択された状態（すなわち、カーソル１６７を重ねた状態）で、ユーザにより３方向操作キー４が押下操作されると、当該フォルダ名１６１乃至１６５の選択が確定されたことを認識する。この際、表示制御部２７は、楽曲リスト提示画面５５と実質的に同様な構成で、選択が確定されたフォルダ名の提供楽曲フォルダ、提供画像フォルダ、録音ラジオフォルダ、録音楽曲フォルダ又は録音音声フォルダに関連付けられている提供楽曲データ、提供画像データ、録音ラジオデータ、録音楽曲データ又は録音音声データのファイル名のみをリスト表示するための図示しない楽曲リスト提示画面、画像リスト提示画面、録音ラジオリスト提示画面、録音楽曲リスト提示画面又は録音音声リスト提示画面を表示する。
【００８６】
因みに表示制御部２７は、表示部３に対しこれら一覧表示画面１６０や楽曲リスト提示画面、画像リスト提示画面、録音ラジオリスト提示画面、録音楽曲リスト提示画面又は録音音声リスト提示画面を表示して何れか１つのファイル名が選択された状態でオプションキー８が押下操作されると、上述した画像用オプション画面１１０と同様な図示しないオプション画面を表示部３に表示する。また表示制御部２７は、かかるオプション画面上で、上述した画像情報提示選択肢１１１と同様な、提供楽曲データ、提供画像データ、録音ラジオデータ、録音楽曲データ又は録音音声データに関連する提供楽曲関連情報、提供画像関連情報、録音ラジオ関連情報、録音楽曲関連情報又は録音音声関連情報の提示を選択させるための選択肢が選択され、その選択が確定されると、上述した画像情報提示画面１１５と実質的に同様な構成の図示しない情報提示画面を表示部３に表示する。さらに表示制御部２７は、かかるオプション画面上で削除選択肢が選択され、その選択が確定されると、これに応じて選択確定ファイル名の提供楽曲データ、提供画像データ、録音ラジオデータ、録音楽曲データ又は録音音声データを記憶部２３から削除する。
【００８７】
さらに表示制御部２７は、表示部３に表示したメニュー画面４０上において例えば日時表示選択アイコン４６が選択された状態（すなわち、カーソル５０を重ねた状態）でユーザにより３方向操作キー４が押下操作されると、当該日時表示選択アイコン４６の選択が確定されたことを認識し、計時部３４から主制御部２０経由で現在の日時を示す日時情報を取得する。また表示制御部２７は、記憶部２３からこれに予め記憶された日時表示画面データを読み出す。そして表示制御部２７は、かかる日時表示画面データに日時情報を加えて表示部３に送出する。これにより表示制御部２７は、表示部３に対しメニュー画面４０に替えて、日時表示画面データに基づく図２７に示すような日時表示画面１７０を表示する。この場合、日時表示画面１７０には、現在の日時を示す、年月日と時刻とが表示されている。従って表示制御部２７は、ユーザの望むときに何時でも日時表示画面１７０を介して現在の日時を教えることができる。
【００８８】
さらに表示制御部２７は、表示部３に表示したメニュー画面４０上において例えばカレンダ表示選択アイコン４７が選択された状態（すなわち、カーソル５０を重ねた状態）でユーザにより３方向操作キー４が押下操作されると、当該カレンダ表示選択アイコン４７の選択が確定されたことを認識し、計時部３４から主制御部２０経由で現在の日時を示す日時情報を取得する。また表示制御部２７は、日時情報を元に、記憶部２３からこれに予め記憶されたカレンダデータのうち今月のカレンダのカレンダデータを検索して読み出す。そして表示制御部２７は、かかる日時情報を元にカレンダデータを加工して表示部３に送出する。これにより表示制御部２７は、表示部３に対しメニュー画面４０に替えて、カレンダデータに基づく図２８に示すようなカレンダ表示画面１７１を表示する。この場合、カレンダ表示画面１７１は、今月のカレンダ内で今日の日付を他と区別し得るようにしている。従って表示制御部２７は、ユーザの望むときに何時でもカレンダ表示画面１７１を介して今月のカレンダと共に今日の日付及び曜日を教えることができる。
【００８９】
さらに表示制御部２７は、表示部３に表示したメニュー画面４０上において例えば設定選択アイコン４８が選択された状態（すなわち、カーソル５０を重ねた状態）でユーザにより３方向操作キー４が押下操作されると、当該設定選択アイコン４８の選択が確定されたことを認識し、記憶部２３からこれに予め記憶された設定項目提示画面データを読み出す。そして表示制御部２７は、かかる設定項目提示画面データを表示部３に送出することにより当該表示部３に対しメニュー画面４０に替えて、設定項目提示画面データに基づく図２９に示すような設定項目提示画面１７２を表示する。
【００９０】
この場合、設定項目提示画面１７２には、選択項目として、種々の設定項目を選択させる複数の設定項目選択肢１７３が筐体一端側から筐体他端側へ筐体長手方向に沿って順番に並べられてリスト表示されている。また設定項目提示画面１７２には、複数の設定項目選択肢１７３の中から何れか１つを選択させるためのカーソル１７４も当該何れか１つの設定項目選択肢１７３に重ねて表示されている。因みに、かかるカーソル１７４は、反転表示機能を有している。そして表示制御部２７は、表示部３に対し設定項目提示画面１７２を表示した状態で、ユーザにより３方向操作キー４が筐体一端側や筐体他端側に傾斜操作されると、カーソル１７４を筐体長手方向に沿って筐体一端側や筐体他端側へ選択項目１つ分、移動させるように要求されたことを認識し、設定項目提示画面１７２上でカーソル１７４を移動させて所望の設定項目選択肢１７３を選択させる。
【００９１】
ここで種々の設定項目としては、現在の日時を設定するための日時設定項目や、バッテリの無駄な消耗を防ぐために、何ら操作されなくなった時点から自動的に表示部３を消灯させる時間を設定するための自動消灯設定項目、バッテリの無駄な消耗を防ぐために、再生や録音等の動作を停止させた時点から自動的に携帯端末装置１の電源をオフにする時間を設定するための自動電源オフ設定項目がある。また設定項目としては、表示部３に表示する言語を設定するための言語設定項目や、表示部３の輝度を設定するための輝度設定項目、録音処理により生成する録音ラジオデータ、録音楽曲データ及び録音音声データの品質（実際にはビットレートやサンプリングレート等で調節するものであり、以下、これを録音品質と呼ぶ）を設定するための品質設定項目もある。さらに集音音声の録音時に無音が続いたとき、自動的にその録音を一時停止させ、再び音が発せられると自動的に録音を再開させるような録音制御機能を実現するか否かを設定するための設定項目もある。
【００９２】
そして表示制御部２７は、表示部３に表示した設定項目提示画面１７２上で例えば品質設定項目を選択させるための設定項目選択肢１７３が選択された状態（すなわち、カーソル１７４を重ねた状態）で、ユーザにより３方向操作キー４が押下操作されると、当該設定項目選択肢１７３の選択が確定されたことを認識する。その結果、表示制御部２７は、記憶部２３からこれに予め記憶されている録音品質設定画面データを読み出して表示部３に送出する。これにより表示制御部２７は、表示部３に対し設定項目提示画面１７２に替えて、録音品質設定画面データに基づく図３０に示すような録音品質設定画面１８０を表示する。
【００９３】
この場合、録音品質設定画面１８０には、録音品質のレベル調節用の細長い調節バー１８１が筐体長手方向と平行に表示されると共に、調節バー１８１上に重ねて、録音品質を調節するための調節つまみとして描画されているカーソル１８２も表示されている。ところで調節バー１８１には、例えば筐体長手方向に沿って複数の目盛りが設定され、カーソル１８２は、かかる調節バー１８１上を１目盛りずつ筐体一端側及び筐体他端側へ移動することで、当該目盛りを選択させ得るようになされている。
【００９４】
従って表示制御部２７は、表示部３に対し録音品質設定画面１８０を表示した状態で、３方向操作キー４が筐体一端側へ傾斜操作されると、調節バー１８１上でカーソル１８２を筐体長手方向に沿って筐体一端側へ移動させるように命令されたことを認識し、当該調節バー１８１上でカーソル１８２を筐体一端側へ１目盛り分移動させる。また表示制御部２７は、３方向操作キー４が筐体他端側へ傾斜操作されると、調節バー１８１上でカーソル１８２を筐体長手方向に沿って筐体他端側へ移動させるように命令されたことを認識し、当該調節バー１８１上でカーソル１８２を筐体他端側へ１目盛り分移動させる。このようにして表示制御部２７は、調節バー１８１上でカーソル１８２を移動させて目盛りを選択させる。
【００９５】
そして表示制御部２７は、表示部３に録音品質設定画面１８０を表示した状態で、ユーザにより３方向操作キー４が押下操作されると、録音品質の調節が完了したことを認識し、その時点までに調節バー１８１上で選択された目盛りの値に応じて録音品質を設定する。因みに表示制御部２７は、このとき表示部３に対し録音品質設定画面１８０に替えて、設定項目提示画面１７２を表示することにより、引き続き他の設定項目についても同様に設定用の表示画面に表示を切り替えて設定を実行させることができる。
【００９６】
なお、この実施の形態の場合、上述した種々の表示画面では、１度にリスト表示し得る選択項目の表示数が予め設定されている。このため表示制御部２７は、表示画面において複数の選択項目を一括して表示し得ないときには、楽曲リスト提示画面５５について上述した場合と同様に、かかる選択項目をスクロール表示し得るようになされている。
【００９７】
ここで図３１を用いて提供楽曲を再生する楽曲再生処理手順について説明する。すなわちステップＳＰ１において表示制御部２７は、表示部３にメニュー画面４０を表示した状態で、ユーザにより楽曲再生機能が選択されることを待ち受ける。そして表示制御部２７は、メニュー画面４０上で楽曲再生選択アイコン４１が選択され、その選択が確定されることで楽曲再生機能が選択されると、次のステップＳＰ２に移る。ステップＳＰ２において表示制御部２７は、主制御部２０に対し楽曲再生機能が選択されたことを通知する。ステップＳＰ３において主制御部２０は、楽曲データ検索部２６に対し提供楽曲データの検索を指示する。よってステップＳＰ４において楽曲データ検索部２６は、かかる指示に応じて記憶部２３に記憶している種々のデータのファイル名の中から、提供楽曲データのファイル名を検索し、その検索結果に基づく提供楽曲データリストを生成する。そして楽曲データ検索部２６は、その提供楽曲データリストを表示制御部２７に送出する。
【００９８】
ステップＳＰ５において表示制御部２７は、提供楽曲データリストを用いて楽曲リスト提示画面５５を生成し、これを表示部３に表示して、次のステップＳＰ６に移る。そしてステップＳＰ６において表示制御部２７は、再生対象の提供楽曲データが選択されることを待ち受ける。その結果、表示制御部２７は、楽曲リスト提示画面５５上で選択確定ファイル名として再生対象の提供楽曲データが選択されると、次のステップＳＰ７に移る。そしてステップＳＰ７において表示制御部２７は、再生対象の提供楽曲データの選択確定ファイル名を主制御部２０に通知する。ステップＳＰ８において主制御部２０は、選択確定ファイル名の提供楽曲データを再生処理するように楽曲データ再生部２８に指示する。これにより楽曲データ再生部２８は、ユーザにより選択された提供楽曲データを記憶部２３から楽曲データ検索部２６経由で取り込みながら再生処理し、その結果得られた提供楽曲信号をジャック１５からヘッドホンに送出し、かくしてユーザに対し提供楽曲を聴取させることができる。因みに携帯端末装置１では、提供画像や録音されたラジオ放送、転送楽曲及び集音音声の再生についても実質的には、楽曲再生処理手順と同様の手順で実現することができる。
【００９９】
また図３２を用いて録音対象としての転送楽曲や集音音声を録音する録音処理手順について説明する。すなわちステップＳＰ１１において表示制御部２７は、表示部３にメニュー画面４０を表示した状態で、ユーザにより録音機能が選択されることを待ち受ける。そして表示制御部２７は、メニュー画面４０上で録音選択アイコン４４が選択され、その選択が確定されることで録音機能が選択されると、次のステップＳＰ１２に移る。ステップＳＰ１２において表示制御部２７は、表示部３に対し録音画面１４５を表示し、録音対象が選択されることを待ち受ける。そして表示制御部２７は、録音画面１４５上で提供楽曲又は集音音声が録音対象として選択されると、次のステップＳＰ１３に移る。ステップＳＰ１３において表示制御部２７は、録音機能が選択されたことと、録音対象とを主制御部２０に通知する。従ってステップＳＰ１４において主制御部２０は、録音処理部２５に対し録音対象として選択された転送楽曲の転送楽曲データ又は集音音声の音声信号を録音処理するように指示する。これにより録音処理部２５は、外部再生機器から再生されながら転送される転送楽曲データ、又はマイクロホン１４を介して集音音声を集音して得られる音声信号を取り込みながら録音処理し、その結果得られた録音楽曲データ又は録音音声データを記録部２３に記憶する。因みに携帯端末装置１では、ラジオ放送の録音についても実質的には、録音処理手順と同様の手順で実現することができる。
【０１００】
かかる構成に加えて携帯端末装置１の場合、図３３（Ａ）及び（Ｂ）並びに図３４示すように、筐体２の筐体他端の筐体背面２Ｃ寄りには、略Ｕ字形状のフレーム部２Ｅが、筐体長手方向に沿って突出するように設けられている。この場合、フレーム部２Ｅは、筐体一端から筐体他端への筐体長手方向に沿って筐体主面２Ａの中心を通る仮想直線を挟んで左右対称な形状に形成されており、当該フレーム部２Ｅの一端２ＥＰ及び他端２ＥＱが、筐体他端の筐体右側面２Ｂ寄りの位置及び筐体左側面２Ｄ寄りの位置に取り付けられている。従ってフレーム部２Ｅは、筐体他端の中央部と、より筐体他端から離間した略弧状の中央部２ＥＲとの間に、筐体幅方向に沿って長い孔部２ＥＳが、筐体主面２Ａから筐体背面２Ｃへの方向（以下、これを筐体厚み方向と呼ぶ）に沿って形成されている。
【０１０１】
この場合、フレーム部２Ｅと筐体他端との間の孔部２ＥＳは、筐体背面２Ｃ側では、内面が一周に渡って筐体厚み方向とほぼ平行となり、筐体主面２Ａ側では、当該筐体主面２Ａ側とフレーム部２Ｅの中央部２ＥＲ側との両方向へ徐々に広かるようにラッパ状に形成されている。従ってこの孔部２ＥＳは、筐体背面２Ｃ側から見た場合、筐体長手方向に沿った幅が比較的狭い開口部（以下、これを背面側開口部と呼ぶ）２ＥＳＸを有し、筐体主面２Ａ側から見た場合には、筐体長手方向に沿った幅が比較的広い開口部（以下、これを主面側開口部と呼ぶ）２ＥＳＹを有している。
【０１０２】
すなわち筐体２は、筐体主面２Ａの筐体他端側が筐体背面２Ｃに向けて徐々に落ち込むように傾斜している。またフレーム部２Ｅの主面開口部２ＥＳＹ側の内面（以下、これを主面開口側内面と呼ぶ）２ＥＳＺは、中央部２ＥＲから一端２ＥＰ及び他端２ＥＱの両端にかけて徐々に傾斜角度が急になるような連続的な曲面を形成するようにして筐体背面２Ｃに向けて傾斜している。従って筐体２は、筐体主面２Ａを正面として見た場合、筐体他端からフレーム部２Ｅが突出してはいるものの、主面側開口部２ＥＳＹが比較的幅広であり、かかる主面側開口部２ＥＳＹの先に比較的幅の狭い背面側開口部２ＥＳＸを介して筐体背面２Ｃ側の空間を覗き見せることができるため、視覚効果により全体としては極力小型化しているように見せることができる。
【０１０３】
またフレーム部２Ｅは、主面側開口部２ＥＳＹの縁を筐体主面２Ａとほぼ平行にし、かつ筐体背面２Ｃの筐体他端側から中央部２ＥＲにかけて徐々に肉薄となるように形成されている。これによりフレーム部２は、筐体背面２Ｃの筐体他端側から当該フレーム部２Ｅの背面（以下、これをフレーム背面と呼ぶ）２ＥＴに渡って連続的な曲面を形成するようにして当該フレーム背面２ＥＴが筐体背面２Ｃから中央部２ＥＲにかけて傾斜している。従って筐体２は、筐体背面２Ｃを正面として見た場合でも、筐体他端からフレーム部２Ｅが突出してはいるものの、フレーム背面２ＥＴが中央部２ＥＲほど視点から遠ざかるように傾斜していると共に、背面側開口部２ＥＳＸを介して筐体主面２Ａ側の空間を覗き見せることができるため、視覚効果により全体としては極力小型化しているように見せることができる。
【０１０４】
ところで筐体２は、図１（Ａ）及び（Ｂ）を用いて上述したように、筐体一端側に外部端子１３と、マイクロホン１４と、ジャック１５本体とが筐体幅方向に沿って並べて収納されている。また筐体２は、筐体一端側のこれら外部端子１３と、マイクロホン１４と、ジャック１５本体との収納部分の際から他端側へかけては例えばバッテリが収納されている。一方、筐体２の筐体主面２Ａには筐体一端寄りに表示部３が設けられ、当該表示部３の配置位置よりも筐体他端側には各種操作キー４乃至８が配置されている。そして筐体２は、このような構成のもと全体が手のひらに収まる程度に小型化されている。
【０１０５】
また表示部３には、図３を用いて上述したように、視線の上側を筐体一端側にし、かつ当該視線の下側を筐体他端側にして筐体主面２Ａを正面として見たときに、文字等が逆さにならずに正常な状態で目視し得る種々の表示画面が表示されている。従って図３５に示すように、筐体２は、手で把持され操作される場合、必然的に筐体一端側を視線の上側にし、かつ筐体他端側を視線の下側とするように筐体背面２Ｃ側から手で覆われて把持される。その状態で、筐体２は、例えば筐体主面２Ａの筐体他端側にまとめて配置された各種操作キー４乃至８が親指で操作される。
【０１０６】
そしてユーザは、筐体２自体の筐体長手方向に沿った長さは比較的短いものの、その筐体２を安定して把持するには、筐体背面２Ｃ側の極力多くの部分を手のひらに接触させる必要がある。またユーザは、筐体２を筐体背面２Ｃ側から把持した状態で筐体他端側の各種操作キー４乃至８を、親指を無理に曲げることなく操作するには、これら各種操作キー４乃至８をなるべく人差し指や中指の根元部分に近づけて把持する必要もある。
【０１０７】
このため、かかる使用状況をもとに筐体２の筐体他端には、フレーム部２Ｅが突出するように設けられている。すなわちフレーム部２Ｅは、筐体背面２Ｃの筐体長手方向に沿った長さを当該フレーム部２Ｅの分だけ長くしている。従ってフレーム部２Ｅは、フレーム背面２ＥＴから筐体背面２Ｃを、手のひらの中央部分の位置から人差し指や中指の第２間接部分までに渡って当接させるようにして、筐体他端側の各種操作キー４乃至８を人差し指や中指の付け根部分に近づけさせることができるようになされている。その結果、フレーム部２Ｅは、筐体２が当該フレーム部２Ｅと共に筐体背面２Ｃ側から手で把持された場合、ユーザの手のひらに接触する部分を比較的多くして安定した状態で把持させながら、親指を無理に曲げさせることなく各種操作キー４乃至８を操作させ得るようになされている。
【０１０８】
またフレーム部２Ｅは、筐体２の筐体他端に突出するように設けられていることで、当該筐体２の筐体他端をあたかも筐体長手方向に沿って延ばしたように作用している。このためフレーム部２Ｅは、筐体２と共に筐体背面２Ｃ側から手で把持され筐体他端側の各種操作キー４乃至８が押下操作されるとき、その押下操作の力が筐体背面２Ｃの筐体他端側に集中することを避けフレーム部２Ｅへ分散させることができる。これによりフレーム部２Ｅは、筐体他端側の各種操作キー４乃至８が押下操作されたとき、筐体２の筐体一端側がユーザの手か持ち上がり、安定して把持し難くなることも防止している。
【０１０９】
さらにフレーム部２Ｅは、筐体背面２Ｃの筐体他端側からフレーム背面２ＥＴに渡りあたかも筐体主面２Ａ側に反るような連続的な曲面として形成されている。従ってフレーム部２Ｅは、筐体２が筐体背面２Ｃ側から手で把持されるとき、フレーム背面２ＥＴを手のひらに何ら違和感なく当接させることができ、かくして筐体２をより一層安定して把持させ得るようになされている。このようにフレーム部２Ｅは、ユーザにより携帯端末装置１の操作のために筐体２が筐体背面２Ｃ側から把持される際に当該筐２体と共に把持されることで、筐体２の把持を補助する把持補助機能を有している。
【０１１０】
これに加えて図３６に示すように、フレーム部２Ｅには、背面側開口部２ＥＳＸにおける中央部２ＥＲ側の縁表面の中で、筐体一端から筐体他端への筐体長手方向に沿って筐体主面２Ａを通る仮想直線と対応する位置である中央（すなわち、フレーム部２Ｅを左右対称に区分けする境界となる仮想直線と対向する位置）に紐保持溝２ＥＶが形成されている。そして図３７に示すように、かかるフレーム部２Ｅには、手や首等から携帯端末装置１を吊り下げるようにして使用する際に用いられるストラップ２００を取り付けることができるようになされている。ここでストラップ２００は、手や首等に掛けられるストラップ紐２０１の両端部が紐固定具２０２の一端部からその内部に挿入れて保持されると共に、携帯端末装置１に直接くくりつけられる比較的細い松葉紐２０３の両端部が当該紐固定具２０２の他端部からその内部に挿入されて保持されている。
【０１１１】
実際にフレーム部２Ｅには、松葉紐２０３が、環の部分を一方の背面側開口部２ＥＳＸ又は主面側開口部２ＥＳＹから孔部２ＥＳに挿通され、他方の主面側開口部２ＥＳＹ又は背面側開口部２ＥＳＸから引き出された後、当該環の中にストラップ紐２０１が挿通されて引き絞られることによってくくりつけられている。そして紐保持溝２ＥＶは、少なくとも１本の松葉紐２０３を嵌め込むことができるような幅に選定されている。従ってフレーム部２Ｅは、ストラップ２００の松葉紐２０３がくくりつけられたとき、当該松葉紐２０３の２本並んだ部分（又は並んだ２本のうち何れか１本）を紐保持溝２ＥＶ内に嵌め込むようにして保持している。またフレーム部２Ｅは、このように松葉紐２０３を保持した状態で実際に携帯端末装置１がストラップ２００を介して手や首等から吊り下げられると、当該携帯端末装置１の自重により松葉紐２０３が絞られるため、当該松葉紐２０３を中央から一端２ＥＰや他端２ＥＱ側に位置ずれしないように紐保持溝２ＥＶ内に保持し得るようになされている。
【０１１２】
また紐保持溝２ＥＶは、背面側開口部２ＥＳＸの縁表面との境部分（すなわち、紐保持溝の縁）に角（すなわちエッジである）を有するように形成されている。従ってフレーム部２Ｅは、例えばストラップ２００を介して手や首等から吊り下げられた携帯端末装置１が揺れたために、紐保持溝２ＥＶ内からこれに保持している松葉紐２０３が外れそうになっても、当該松葉紐２０３を角に引っ掛けるようにして紐保持溝２ＥＶ内から外れないようにしている。すなわちフレーム部２Ｅは、ストラップ２００を介して手や首等から吊り下げられた携帯端末装置１が揺れた場合でも、松葉紐２０３を中央から一端２ＥＰや他端２ＥＱ側に位置ずれしないように紐保持溝２ＥＶ内にほぼ確実に保持し得るようになされている。このようにフレーム部２Ｅは、上述した把持補助機能に加えて、ストラップ２００の松葉紐２０３を保持する松葉紐保持機能をも有している。
【０１１３】
以上の構成において、携帯端末装置１は、筐体２の筐体主面２Ａに対し筐体一端側へ偏った位置に表示部３を配置すると共に、当該筐体主面２Ａの表示部配置位置よりも筐体他端側の位置に各種操作キー４乃至８を配置している。また携帯端末装置１は、筐体２の筐体他端との間に孔部２ＥＳを有し、かつ当該筐体２の筐体他端に対し筐体背面２Ｃ寄りの位置から突出するように、ユーザにより携帯端末装置１の操作のために筐体２と共に筐体背面２Ｃ側から把持され当該筐体２の把持を補助する把持補助機能と、孔部２ＥＳに挿通されるストラップ２００の松葉紐２０３を紐保持溝２ＥＶに保持する松葉紐保持機能とを有するフレーム部２Ｅを設けている。
【０１１４】
従って携帯端末装置１は、筐体２が筐体背面２Ｃ側から手で把持されるとき、フレーム部２Ｅを手のひらの中央部分に位置させて、その分、筐体主面２Ａの筐体他端側に配置された各種操作キーを人差し指や中指の付け根部分に近づけさせるように、フレーム部２Ｅのフレーム背面２ＥＴから筐体背面２Ｃを手のひらの中央部分の位置から人差し指及び中指の第２間接部分に渡って当接させるように把持させることができる。その結果、携帯端末装置１は、筐体２自体は筐体長手方向に沿った長さが比較的短いものの、フレーム部２Ｅと共に手のひらに接する部分を比較的多くすることができ、筐体２を筐体背面２Ｃ側から安定して把持させながら、親指を無理に曲げさせることなく各種操作キー４乃至８を楽に操作させることができる。
【０１１５】
また携帯端末装置１は、筐体２の筐体他端とフレーム部２Ｅとの間にストラップ２００の松葉紐２０３が挿通されてくくりつけられるとき、当該松葉紐２０３を紐保持溝２ＥＶ内に嵌め込んで保持することで、ストラップ紐２０１を介して手や首等から吊り下げさせて使用させることができる。
【０１１６】
以上の構成によれば、携帯端末装置１において、筐体２の筐体主面２Ａに対し筐体一端側へ偏った位置に表示部３を配置すると共に、表示部配置位置よりも筐体他端側の位置に操作キー４乃至８を配置し、筐体２の筐体他端との間に孔部２ＥＳを有し、かつ当該筐体２の筐体他端に対し筐体背面２Ｃ寄りの位置から突出するように、ユーザにより携帯端末装置１の操作のために筐体２と共に筐体背面２Ｃ側から把持され当該筐体２の把持を補助する把持補助機能と、孔部２ＥＳに挿通されるストラップ２００の松葉紐２０３を紐保持溝２ＥＶに保持する松葉紐保持機能とを有するフレーム部２Ｅを設けるようにした。これにより携帯端末装置１は、筐体２に１つのフレーム部２Ｅを設けるだけで、筐体２をフレーム部２Ｅと共に筐体背面２Ｃ側から安定して把持させたまま当該携帯端末装置１を操作させることができると共に、フレーム部２Ｅに松葉紐２０３を保持したストラップ２００により携帯端末装置１を手や首等から吊り下げて携帯させることができる。よって携帯端末装置１は、簡易な構成で操作性及び携帯性を容易に向上させることができる。
【０１１７】
また携帯端末装置２は、フレーム部２Ｅのフレーム背面２ＥＴをあたかも筐体主面２Ａ側に反るような連続的な曲面として形成している。従って携帯端末装置１は、筐体２がフレーム部２Ｅと共に筐体背面２Ｃ側から把持されるとき、フレーム部２Ｅのフレーム背面２ＥＴを手のひらに何ら違和感なく当接させることができる。よって携帯端末装置１は、筐体２をより一層安定して把持させることができる。
【０１１８】
さらに携帯端末装置１は、フレーム部２Ｅにおいて背面側開口部２ＥＳＸの中央部２ＥＲ側の縁表面の中で、筐体一端から筐体他端への筐体長手方向に沿って筐体主面２Ａを通る仮想直線と対応する位置である中央に紐保持溝２ＥＶを形成するようにした。従って携帯端末装置１は、フレーム部２Ｅにくくりつけられる松葉紐２０３を当該フレーム部２Ｅの中央に保持することができ、ストラップ２００を介して手や首等から安定して吊り下げさせることができる。
【０１１９】
さらに携帯端末装置１は、フレーム部２Ｅの紐保持溝２ＥＶに対し松葉紐２０３を保持した状態で実際にストラップ２００を介して手や首等から吊り下げられると、当該携帯端末装置１の自重により松葉紐２０３が絞られるため、当該松葉紐２０３を中央から一端２ＥＰや他端２ＥＱ側に位置ずれしないように紐保持溝２ＥＶ内に保持し得るものの、かかる紐保持溝２ＥＶの、背面側開口部２ＥＳＸの縁表面との境部分に角を形成している。従って携帯端末装置１は、例えばストラップ２００を介して手や首等から吊り下げられたときに揺れても、フレーム部２Ｅにおいて紐保持溝２ＥＶの角に松葉紐２０３を引っ掛けるようにして当該紐保持溝２ＥＶ内から松葉紐２０３が外れないようにすることができる。すなわち携帯端末装置１は、ストラップ２００を介して手や首等から吊り下げられて揺れた場合でも、松葉紐２０３をフレーム部２Ｅの中央から一端２ＥＰや他端２ＥＱ側に位置ずれしないように紐保持溝２ＥＶ内にほぼ確実に保持することができる。
【０１２０】
さらに携帯端末装置１は、筐体２の筐体他端に突出するように設けられたフレーム部２Ｅにストラップ２００の松葉紐２０３を保持するようにした。従って携帯端末装置１は、ストラップ２００を介して手や首等から吊り下げられて使用され、操作の際に筐体２がフレーム部２Ｅと共に筐体背面２Ｃ側から把持されたとき、手の中でストラップ２００を手首側に向けて這わせることができる。これにより携帯端末装置１は、ストラップ２００が取り付けられている場合でも、そのストラップ２００が操作の邪魔になることを回避することができる。
【０１２１】
なお上述した実施の形態においては、フレーム部２Ｅの中央に紐保持溝２ＥＶを形成するようにした場合について述べたが、本発明はこれに限らず、フレーム部２Ｅにおいて中央よりも一端２ＥＰや他端２ＥＱ寄りの所定位置に紐保持溝２ＥＶを形成するようにしても良い。
【０１２２】
また上述した実施の形態においては、フレーム部２Ｅにおいて背面側開口部２ＥＳＸの縁表面に紐保持溝２ＥＶを形成するようにした場合について述べたが、本発明はこれに限らず、フレーム部２Ｅにおいて主面側開口部２ＥＳＹの縁表面に紐保持溝２ＥＶを形成するようにしても良い。
【０１２３】
さらに上述した実施の形態においては、紐保持溝２ＥＶに対し背面側開口部２ＥＳＸの縁表面との境部分に角を形成するようにした場合について述べたが、本発明はこれに限らず、例えば紐保持溝２ＥＶを比較的深くし、又は紐保持溝２ＥＶの内面を接触抵抗が比較的大きくなるように加工する等して、松葉紐２０３が外れにくくすることで、紐保持溝２ＥＶに対し、背面側開口部２ＥＳＸの縁表面との境部分に角を形成しないようにしても良い。
【０１２４】
さらに上述した実施の形態においては、フレーム部２Ｅに対し１つの紐保持溝２ＥＶを形成するようにした場合について述べたが、本発明はこれに限らず、フレーム部２Ｅに対し２つ以上の紐保持溝２ＥＶを形成するようにしても良く、例えば２本の松葉紐２０３や、ストラップ紐２０１の一端及び他端をそれぞれ異なる紐保持溝２ＥＶに保持するようにしても良い。
【０１２５】
さらに上述した実施の形態においては、フレーム部２Ｅの紐保持溝２ＥＶに対し松葉紐２０３を保持するようにした場合について述べたが、本発明はこれに限らず、フレーム部２Ｅの紐保持溝２ＥＶに対しストラップ紐２０１自体や、革紐、チェーン等を装置取付紐として保持するようにしても良い。
【０１２６】
さらに上述した実施の形態においては、フレーム部２Ｅに対しその一部に紐保持溝２ＥＶを形成するようにした場合について述べたが、本発明はこれに限らず、フレーム部２Ｅの表面の一部に装置取付紐を保持するための凹凸を形成し、又はフレーム部２Ｅに対し所定位置にフレーム背面２ＥＴから孔部２ＥＳの内面へ１周に渡り装置取付紐を保持するための溝や凹凸を形成するようにしても良い。
【０１２７】
さらに上述した実施の形態においては、本発明による携帯装置を、図１乃至図３７について上述した携帯端末装置１に適用するようにした場合について述べたが、本発明はこれに限らず、ストラップを取り付けるものであれば、携帯型半導体メモリやデジタルカメラ、携帯型ラジオ、携帯型映像再生装置、携帯型ゲーム機、ＰＤＡ（Personal Digital Assistance ）、携帯電話機等のように、この他種々の携帯装置に広く適用することができる。
【０１２８】
さらに上述した実施の形態においては、装置取付紐として、図１乃至図３７について上述したストラップ２００の松葉紐２０３を適用するようにした場合について述べたが、本発明はこれに限らず、ストラップの少なくとも一部として携帯装置に取り付けられるものであれば、ストラップ紐や革紐、金属や樹脂により形成されたチェーン、ゴム紐等のように、この他種々のものを装置取付紐として広く適用することができる。
【０１２９】
さらに上述した実施の形態においては、表示部の表示を制御する制御部として、図１乃至図３７について上述した表示制御部２７を適用するようにした場合について述べたが、本発明はこれに限らず、中央処理ユニット（CPU:Central Processing Unit ）等のように、この他種々の制御部を広く適用することができる。
【０１３０】
さらに上述した実施の形態においては、携帯端末装置１に対し図２を用いて上述した各回路を設けるようにした場合について述べたが、本発明はこれに限らず、携帯端末装置１において上述した処理を中央処理ユニットによるソフトウェア処理として実現するようにしても良い。
【産業上の利用可能性】
【０１３１】
本発明は、携帯型音楽再生装置や携帯型半導体メモリ、携帯型電話機等のようにストラップが取り付けられる携帯装置に利用することができる。
【図面の簡単な説明】
【０１３２】
【図１】本発明による携帯端末装置の外観構成の一実施の形態を示す略線的斜視図である。
【図２】携帯端末装置の回路構成を示すブロック図である。
【図３】歌詞データの構成を示す略線図である。
【図４】表示部に対する表示画面の表示の説明に供する略線図である。
【図５】メニュー画面の構成を示す略線図である。
【図６】楽曲リスト提示画面の構成を示す略線図である。
【図７】楽曲再生画面の構成を示す略線図である。
【図８】楽曲情報提示画面の構成を示す略線図である。
【図９】アニメーション画像の構成（１）を示す略線図である。
【図１０】アニメーション画像の構成（２）を示す略線図である。
【図１１】アニメーション画像の構成（３）を示す略線図である。
【図１２】楽曲用オプション画面の構成を示す略線図である。
【図１３】音質設定画面の構成を示す略線図である。
【図１４】音質調節画面の構成を示す略線図である。
【図１５】アニメーション設定画面の構成を示す略線図である。
【図１６】画像リスト提示画面の構成を示す略線図である。
【図１７】表示部に対する提供画像の表示の説明に供する略線図である。
【図１８】画像用オプション画面の構成を示す略線図である。
【図１９】画像情報提示画面の構成を示す略線図である。
【図２０】ラジオ放送受信画面の構成を示す略線図である。
【図２１】ラジオ放送用オプション画面の構成を示す略線図である。
【図２２】ラジオ放送録音画面の構成を示す略線図である。
【図２３】周波数登録画面の構成を示す略線図である。
【図２４】録音画面の構成を示す略線図である。
【図２５】録音画面上での録音対象の選択の説明に供する略線図である。
【図２６】一覧表示画面の構成を示す略線図である。
【図２７】日時表示画面の構成を示す略線図である。
【図２８】カレンダ表示画面の構成を示す略線図である。
【図２９】設定項目提示画面の構成を示す略線図である。
【図３０】録音品質設定画面の構成を示す略線図である。
【図３１】楽曲再生処理手順を示すフローチャートである。
【図３２】録音処理手順を示すフローチャートである。
【図３３】フレーム部の構成（１）を示す略線的斜視図である。
【図３４】フレーム部の構成（２）を示す略線的側面図である。
【図３５】携帯端末装置が手に把持されたときの説明に供する略線図である。
【図３６】フレーム部に設けられた紐保持溝の説明に供する略線図である。
【図３７】フレーム部に対するストラップの取り付けの説明に供する略線図である。
【符号の説明】
【０１３３】
１……携帯端末装置、２……筐体、２Ａ……筐体主面、２Ｃ……筐体背面、２Ｅ……フレーム部、２ＥＰ……一端、２ＥＱ……他端、２ＥＲ……中央部、２ＥＳ……孔部、２ＥＳＸ……背面側開口部、２ＥＳＹ……主面側開口部、２ＥＴ……フレーム背面、２ＥＶ……紐保持溝、３……表示部、４……３方向操作キー、５……右側操作キー、６……左側操作キー、７……メニュー表示キー、８……オプションキー、２０……主制御部、２１……操作部、２７……表示制御部、２００……ストラップ、２０３……松葉紐。
【図１】
2007281258.tif 000003
【図２】
2007281258.tif 000004
【図３】
2007281258.tif 000005
【図４】
2007281258.tif 000006
【図５】
2007281258.tif 000007
【図６】
2007281258.tif 000008
【図７】
2007281258.tif 000009
【図８】
2007281258.tif 000010
【図９】
2007281258.tif 000011
【図１０】
2007281258.tif 000012
【図１１】
2007281258.tif 000013
【図１２】
2007281258.tif 000014
【図１３】
2007281258.tif 000015
【図１４】
2007281258.tif 000016
【図１５】
2007281258.tif 000017
【図１６】
2007281258.tif 000018
【図１７】
2007281258.tif 000019
【図１８】
2007281258.tif 000020
【図１９】
2007281258.tif 000021
【図２０】
2007281258.tif 000022
【図２１】
2007281258.tif 000023
【図２２】
2007281258.tif 000024
【図２３】
2007281258.tif 000025
【図２４】
2007281258.tif 000026
【図２５】
2007281258.tif 000027
【図２６】
2007281258.tif 000028
【図２７】
2007281258.tif 000029
【図２８】
2007281258.tif 000030
【図２９】
2007281258.tif 000031
【図３０】
2007281258.tif 000032
【図３１】
2007281258.tif 000033
【図３２】
2007281258.tif 000034
【図３３】
2007281258.tif 000035
【図３４】
2007281258.tif 000036
【図３５】
2007281258.tif 000037
【図３６】
2007281258.tif 000038
【図３７】
2007281258.tif 000039